(57)【要約】  映像処理装置（２００）は、映像出力中の任意のタイミングで入力されるユーザの操作入力を受け付けることにより、そのとき映像出力されている映像データに付随した地点情報をユーザが使用する通信端末（３００）に転送することができる。また、通信端末（３００）は、映像処理装置（２００）から転送された地点情報を実行中の処理に利用可能であれば、指定地物に関する地点情報を当該指定地物に関する指定映像データとともに報知することができる。
2007099815.tif 000002
【特許請求の範囲】
【請求項１】
映像内容によって特定される地物に関する地点情報を含む一連の映像データの映像出力中に、ユーザの操作入力を受け付ける受付手段と、
前記受付手段によって操作入力が受け付けられたときの映像データから、当該映像データに含まれている地物に関する地点情報を抽出する抽出手段と、
前記抽出手段によって抽出された地物に関する地点情報を、前記ユーザの通信端末に送信する送信手段と、
を備えることを特徴とする映像処理装置。
【請求項２】
前記送信手段は、
さらに、前記受付手段によって操作入力が受け付けられたときの映像データを、前記ユーザの通信端末に送信することを特徴とする請求項１に記載の映像処理装置。
【請求項３】
映像内容によって特定される地物に関する地点情報を含む一連の映像データの映像出力中に、ユーザの操作入力を受け付ける受付手段と、
前記受付手段によって操作入力が受け付けられたときの映像データから、当該映像データに含まれている地物に関する地点情報を抽出する抽出手段と、
前記抽出手段によって抽出された地物に関する地点情報を、前記ユーザ以外の他のユーザの通信端末から前記地物に関する検索要求を受け付ける地点情報検索装置に送信する送信手段と、
を備えることを特徴とする映像処理装置。
【請求項４】
前記送信手段は、
さらに、前記受付手段によって操作入力が受け付けられたときの映像データを、前記地点情報検索装置に送信することを特徴とする請求項３に記載の映像処理装置。
【請求項５】
映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する受信手段と、
所定の処理を実行する実行手段と、
前記実行手段による現在実行中の処理の内容に基づいて、前記受信手段によって受信された指定地物に関する地点情報が、前記処理に利用可能か否かを判断する判断手段と、
前記判断手段によって判断された判断結果に基づいて、前記ユーザに報知する報知手段と、
を備えることを特徴とする通信端末。
【請求項６】
前記判断手段は、
端末本体によって特定された特定地点に関する地点情報（以下「特定地点情報」）と前記指定地物に関する地点情報とに基づいて、前記指定地物に関する地点情報が、前記処理に利用可能か否かを判断することを特徴とする請求項５に記載の通信端末。
【請求項７】
前記特定地点情報は、前記端末本体の現在地点情報であることを特徴とする請求項６に記載の通信端末。
【請求項８】
前記特定地点情報は、前記ユーザによって指定された任意の地点情報であることを特徴とする請求項６に記載の通信端末。
【請求項９】
前記実行手段は、
前記端末本体の表示画面に地図データを表示する地図データ表示処理を実行し、
前記判断手段は、
前記実行手段による地図データ表示処理により前記表示画面上に前記特定地点情報が表示されている場合、前記指定地物に関する地点情報が、前記表示画面上に表示可能か否かを判断することを特徴とする請求項６に記載の通信端末。
【請求項１０】
前記実行手段は、
任意の目的地点までのルートを探索するルート探索処理を実行し、
前記判断手段は、
前記実行手段による前記ルート探索処理によって探索されたルート上またはその近傍に、前記指定地物が位置するか否かを判断することを特徴とする請求項６に記載の通信端末。
【請求項１１】
前記実行手段は、
前記特定地点と前記指定地物との距離を算出する距離算出処理を実行し、
前記判断手段は、
前記実行手段による前記距離算出処理によって算出された距離が所定距離以下であるか否かを判断することを特徴とする請求項６に記載の通信端末。
【請求項１２】
前記報知手段は、
前記判断手段によって前記指定地物に関する地点情報が、前記処理に利用可能であると判断された場合、前記指定地物に関する地点情報を前記端末本体の表示画面上に表示することを特徴とする請求項５に記載の通信端末。
【請求項１３】
前記報知手段は、
前記判断手段によって前記指定地物に関する地点情報が、前記処理に利用可能であると判断された場合、前記指定地物に関する地点情報または当該地点情報に関する報知音を音声出力することを特徴とする請求項５に記載の通信端末。
【請求項１４】
前記報知手段は、
前記判断手段によって前記指定地物に関する地点情報が、前記処理に利用可能であると判断された場合、前記端末本体を振動させることを特徴とする請求項５に記載の通信端末。
【請求項１５】
前記受信手段は、
さらに、前記映像処理装置から当該映像処理装置の映像出力中にユーザの操作入力が受け付けられたときの映像データ（以下「指定映像データ」）を受信し、
前記報知手段は、
前記判断手段によって前記指定地物に関する地点情報が、前記処理に利用可能であると判断された場合、前記受信手段によって受信された指定映像データを前記端末本体の表示画面上に表示することを特徴とする請求項５に記載の通信端末。
【請求項１６】
前記通信端末は、
前記ユーザの移動体通信端末であることを特徴とする請求項５に記載の通信端末。
【請求項１７】
前記移動体通信端末は、
前記ユーザのカーナビゲーション装置であることを特徴とする請求項１６に記載の通信端末。
【請求項１８】
前記移動体通信端末は、
前記ユーザの携帯電話機であることを特徴とする請求項１６に記載の通信端末。
【請求項１９】
映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する地点情報受信手段と、
前記地点情報受信手段によって受信された地点情報を記憶する記憶手段と、
前記ユーザ以外の他のユーザの通信端末から前記地物に関する検索要求を受信する検索要求受信手段と、
前記検索要求受信手段によって受信された検索要求に応じた地点情報を、前記記憶手段に記憶された地点情報の中から抽出する抽出手段と、
前記抽出手段によって抽出された地点情報を、前記検索要求を送信した前記他のユーザの通信端末に送信する送信手段と、
を備えることを特徴とする地点情報検索装置。
【請求項２０】
前記検索要求には、前記他のユーザの通信端末によって特定された特定地点に関する地点情報（以下「特定地点情報」）が含まれており、
前記抽出手段は、
前記特定地点情報に応じた地点情報を、前記記憶手段に記憶された地点情報の中から抽出することを特徴とする請求項１９に記載の地点情報検索装置。
【請求項２１】
映像内容によって特定される地物に関する地点情報を含む一連の映像データの映像出力中に、ユーザの操作入力を受け付ける受付工程と、
前記受付工程によって操作入力が受け付けられたときの映像データから、当該映像データに含まれている地物に関する地点情報を抽出する抽出工程と、
前記抽出工程によって抽出された地物に関する地点情報を、前記ユーザの通信端末に送信する送信工程と、
を含んだことを特徴とする映像処理方法。
【請求項２２】
映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する受信工程と、
端末本体による現在実行中の処理の内容に基づいて、前記受信工程によって受信された指定地物に関する地点情報が、前記処理に利用可能か否かを判断する判断工程と、
前記判断工程によって判断された判断結果に基づいて、前記ユーザに報知する報知工程と、
を含んだことを特徴とする地点情報報知方法。
【請求項２３】
映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する地点情報受信工程と、
前記地点情報受信工程によって受信された地点情報を記憶する記憶工程と、
前記ユーザ以外の他のユーザの通信端末から前記地物に関する検索要求を受信する検索要求受信工程と、
前記検索要求受信工程によって受信された検索要求に応じた地点情報を、前記記憶工程によって記憶された地点情報の中から抽出する抽出工程と、
前記抽出工程によって抽出された地点情報を、前記検索要求を送信した前記他のユーザの通信端末に送信する送信工程と、
を備えることを特徴とする地点情報検索方法。
【請求項２４】
請求項２１に記載の映像処理方法をコンピュータに実行させることを特徴とする映像処理プログラム。
【請求項２５】
請求項２２に記載の地点情報報知方法をコンピュータに実行させることを特徴とする地点情報報知プログラム。
【請求項２６】
請求項２３に記載の地点情報検索方法をコンピュータに実行させることを特徴とする地点情報検索プログラム。
【請求項２７】
請求項２４〜２６のいずれか一つに記載のプログラムを記録したことを特徴とするコンピュータに読み取り可能な記録媒体。
【発明の詳細な説明】
【技術分野】
【０００１】
この発明は、映像処理装置、通信端末、地点情報検索装置、映像処理方法、地点情報報知方法、地点情報検索方法、映像処理プログラム、地点情報報知プログラム、地点情報検索プログラムおよびコンピュータに読み取り可能な記録媒体に関する。ただし、この発明の利用は、上述した映像処理装置、通信端末、地点情報検索装置、映像処理方法、地点情報報知方法、地点情報検索方法、映像処理プログラム、地点情報報知プログラム、地点情報検索プログラムおよびコンピュータに読み取り可能な記録媒体には限られない。
【背景技術】
【０００２】
従来、ユーザが所望するキーワードを優先順位メモリに登録しておき、受信したデジタル放送中から上記キーワードが含まれている電子データを取得し、取得した電子データ中に含まれている位置情報から別システムで利用可能な形態の第２の位置情報を求めて、これを電子データとともに受信データメモリに記憶することにより、ユーザが取得希望の電子データに関連する任意のキーワードを入力しておくだけで、そのような電子データをデジタル放送中から自動的に入手することができるようにするとともに、第２の位置情報とともに受信データメモリに記憶された情報データを別システムで有効に活用することができるようにする装置が提供されている（たとえば、下記特許文献１参照。）。【０００３】
【特許文献１】特開２００３−２１８７１８号公報
【発明の開示】
【発明が解決しようとする課題】
【０００４】
しかしながら、上述した特許文献１による従来技術では、事前に登録したキーワードに合致する情報しか取得することができないため、視聴中に、たとえば、観光地や行楽地などユーザの興味を示すスポットが放送されたとき、登録されたキーワードに合致していなければ、そのスポットに関する情報を取得することができない。【０００５】
また、視聴中に、ユーザが興味を示したスポットに合致するキーワードをあらたに登録することによって、このスポットに関する情報を取得することができるが、入力操作が面倒である。【０００６】
さらに、ユーザがキーワードの登録をおこなっているときや、瞬時に登録するキーワードが思いつかないときにも、放送は継続しておこなわれているため、スポットの放送が終了してしまい、そのスポットに関する情報を取得することができない場合がある。また、合致するキーワードが存在しない場合も、そのスポットに関する情報を取得することができない。【０００７】
このように、ユーザが興味を示したスポットに関する情報を取得することができなかった場合は、結果的に、ユーザは、このスポットに行く機会を逸してしまうという問題が一例として挙げられる。【０００８】
また、ユーザが興味を示したスポットの放送を録画する場合には、録画操作をおこなっている間も、この放送は継続して放送されているため、スポットの放送が終了してしまったり、途中からの録画となってしまうなど、すべて録画することができず、情報が欠落してしまう場合がある。【０００９】
また、このスポットに関する情報をユーザがメモに書き留めるとしても、放送中の情報をすべて書き留めることは困難であり、情報が欠落してしまう場合がある。【００１０】
さらに、ユーザがこのスポットに関する情報を記憶するとしても、すべての情報を記憶しておくことは困難であり、上記同様に情報が欠落してしまう場合がある。【００１１】
また、欠落した部分の情報を補うためには、ユーザが自らそのスポットに関する情報を調べる必要があり、多くの手間と時間がかかってしまう。このため、興味を示したスポットに関する情報を調べている間に、このスポットに関する興味を失ってしまうことがあり、依然として、ユーザは、興味を示したスポットに行く機会を逸することとなるという問題が一例として挙げられる。【００１２】
また、たとえば、ユーザが放送中に興味を示したスポットに関する情報をすべて書き留めることができたとしても、実際にそのスポットに行くためのルートをユーザ自身が調べたり、行く日時を決めるなどの計画を立てる労力がかかる。このため、このスポットに関するユーザの興味を失ってしまうことがあり、上記同様、このスポットに行く機会を逸してしまうという問題が一例として挙げられる。【００１３】
また、たとえば、メモに書き留めたスポットの所在地などの情報を、ユーザが操作入力することによって、ナビゲーション装置の地図データ上にプロットすることもできるが、ユーザにとって操作入力が面倒であり、実用的ではないという問題が一例として挙げられる。
【課題を解決するための手段】
【００１４】
上述した課題を解決し、目的を達成するため、請求項１の発明にかかる映像処理装置は、映像内容によって特定される地物に関する地点情報を含む一連の映像データの映像出力中に、ユーザの操作入力を受け付ける受付手段と、前記受付手段によって操作入力が受け付けられたときの映像データから、当該映像データに含まれている地物に関する地点情報を抽出する抽出手段と、前記抽出手段によって抽出された地物に関する地点情報を、前記ユーザの通信端末に送信する送信手段と、を備えることを特徴とする。【００１５】
また、請求項３の発明にかかる映像処理装置は、映像内容によって特定される地物に関する地点情報を含む一連の映像データの映像出力中に、ユーザの操作入力を受け付ける受付手段と、前記受付手段によって操作入力が受け付けられたときの映像データから、当該映像データに含まれている地物に関する地点情報を抽出する抽出手段と、前記抽出手段によって抽出された地物に関する地点情報を、前記ユーザ以外の他のユーザの通信端末から前記地物に関する検索要求を受け付ける検索サーバに送信する送信手段と、を備えることを特徴とする。【００１６】
また、請求項５の発明にかかる通信端末は、映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する受信手段と、所定の処理を実行する実行手段と、前記実行手段による現在実行中の処理の内容に基づいて、前記受信手段によって受信された指定地物に関する地点情報が、前記処理に利用可能か否かを判断する判断手段と、前記判断手段によって判断された判断結果に基づいて、前記ユーザに報知する報知手段と、を備えることを特徴とする。【００１７】
また、請求項１９の発明にかかる地点情報検索装置は、映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する地点情報受信手段と、前記地点情報受信手段によって受信された地点情報を記憶する記憶手段と、前記ユーザ以外の他のユーザの通信端末から前記地物に関する検索要求を受信する検索要求受信手段と、前記検索要求受信手段によって受信された検索要求に応じた地点情報を、前記記憶手段に記憶された地点情報の中から抽出する抽出手段と、前記抽出手段によって抽出された地点情報を、前記検索要求を送信した前記他のユーザの通信端末に送信する送信手段と、を備えることを特徴とする。【００１８】
また、請求項２１の発明にかかる映像処理方法は、映像内容によって特定される地物に関する地点情報を含む一連の映像データの映像出力中に、ユーザの操作入力を受け付ける受付工程と、前記受付工程によって操作入力が受け付けられたときの映像データから、当該映像データに含まれている地物に関する地点情報を抽出する抽出工程と、前記抽出工程によって抽出された地物に関する地点情報を、前記ユーザの通信端末に送信する送信工程と、を含んだことを特徴とする。【００１９】
また、請求項２２の発明にかかる地点情報報知方法は、映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する受信工程と、端末本体による現在実行中の処理の内容に基づいて、前記受信工程によって受信された指定地物に関する地点情報が、前記処理に利用可能か否かを判断する判断工程と、前記判断工程によって判断された判断結果に基づいて、前記ユーザに報知する報知工程と、を含んだことを特徴とする。【００２０】
また、請求項２３の発明にかかる地点情報検索方法は、映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」）に関する地点情報を受信する地点情報受信工程と、前記地点情報受信工程によって受信された地点情報を記憶する記憶工程と、前記ユーザ以外の他のユーザの通信端末から前記地物に関する検索要求を受信する検索要求受信工程と、前記検索要求受信工程によって受信された検索要求に応じた地点情報を、前記記憶工程によって記憶された地点情報の中から抽出する抽出工程と、前記抽出工程によって抽出された地点情報を、前記検索要求を送信した前記他のユーザの通信端末に送信する送信工程と、を備えることを特徴とする。【００２１】
また、請求項２４の発明にかかる映像処理プログラムは、請求項２１に記載の映像処理方法をコンピュータに実行させることを特徴とする。【００２２】
また、請求項２５の発明にかかる地点情報報知プログラムは、請求項２２に記載の地点情報報知方法をコンピュータに実行させることを特徴とする。【００２３】
また、請求項２６の発明にかかる地点情報検索プログラムは、請求項２３に記載の地点情報検索方法をコンピュータに実行させることを特徴とする。【００２４】
また、請求項２７の発明にかかるコンピュータに読み取り可能な記録媒体は、請求項２４〜２６のいずれか一つに記載のプログラムを記録したことを特徴とする。
【図面の簡単な説明】
【００２５】
【図１】図１は、この発明の実施の形態にかかる地点情報報知システムのシステム構成を示す説明図である。
【図２】図２は、この発明の実施の形態にかかる映像処理装置の機能的構成を示すブロック図である。
【図３】図３は、この発明の実施の形態にかかる通信端末の機能的構成を示すブロック図である。
【図４】図４は、この発明の実施の形態にかかる地点情報検索装置の機能的構成を示すブロック図である。
【図５】図５は、この発明の実施の形態にかかる地点情報報知システムのシステム処理手順の一例を示すフローチャートである。
【図６】図６は、この発明の実施の形態にかかる地点情報報知システムのシステム処理手順の他の一例を示すフローチャートである。
【図７】図７は、この発明の実施例１にかかる映像表示装置のハードウェア構成を示すブロック図である。
【図８】図８は、この発明の実施例１にかかるナビゲーション装置のハードウェア構成を示すブロック図である。
【図９】図９は、映像表示装置のリモコンを用いて、ユーザが操作入力をおこなう一例を示す説明図である。
【図１０】図１０は、地点情報の一例を示した説明図である。
【図１１】図１１は、実施例２にかかるナビゲーション装置の地点情報報知処理手順を示すフローチャートである。
【図１２】図１２は、実施例３にかかるナビゲーション装置の地点情報報知処理手順を示すフローチャートである。
【図１３】図１３は、実施例４にかかるナビゲーション装置の地点情報報知手順を示すフローチャートである。
【図１４−１】図１４−１は、地図データが表示されたディスプレイを示す説明図（その１）である。
【図１４−２】図１４−２は、地図データが表示されたディスプレイを示す説明図（その２）である。
【図１４−３】図１４−３は、地図データが表示されたディスプレイを示す説明図（その３）である。
【図１５】図１５は、地図データ上に探索結果が表示されたディスプレイを示す説明図である。
【図１６】図１６は、電話機本体を振動させてユーザに報知するときの概要を示す説明図である。
【図１７】図１７は、この発明の実施例６にかかる検索サーバのハードウェア構成を示すブロック図である。
【符号の説明】
【００２６】
１００  地点情報報知システム
２００  映像処理装置
２５０  ＤＢサーバ
３００  通信端末
３５０  通信端末
４００  地点情報検索装置
【発明を実施するための最良の形態】
【００２７】
以下に添付図面を参照して、この発明にかかる映像処理装置、通信端末、地点情報検索装置、映像処理方法、地点情報報知方法、地点情報検索方法、映像処理プログラム、地点情報報知プログラム、地点情報検索プログラムおよびコンピュータに読み取り可能な記録媒体の好適な実施の形態を詳細に説明する。【００２８】
（実施の形態）
（地点情報報知システムのシステム構成）
まず、この発明の実施の形態にかかる地点情報報知システムのシステム構成について説明する。図１は、この発明の実施の形態にかかる地点情報報知システムのシステム構成を示す説明図である。図１において、地点情報報知システム１００は、映像処理装置２００と、ＤＢサーバ２５０と、通信端末３００と、通信端末３５０と、地点情報検索装置４００と、によって構成されている。【００２９】
映像処理装置２００は、デジタル放送波を受信して映像出力する。デジタル放送波は、地上の電波塔から送信するテレビ放送などの地上波をデジタル化したものである。デジタル放送波は、たとえば、地上デジタル放送、衛星デジタル放送、ケーブルテレビ放送などによって送信される。【００３０】
また、デジタル放送波には、放送内容を特定する映像データおよび当該映像データに付随した地点情報が含まれている。ここで、地点情報とは、映像内容によって特定される地物の緯度・経度や所在、名称をあらわす情報である。また、地物とは、地上に存在する天然または人工の物体のことであり、平地、河川、湖沼、山、森林などの地形や、道路、鉄道など地表に敷設された交通網や、住居、店舗、ビルディング、工場などの施設が挙げられる。【００３１】
したがって、たとえば、映像内容によって特定される地物が湖沼である場合には、当該湖沼の所在地または名称となる。また、道路の場合には、当該道路の名称（たとえば、国道○号線など）となる。また、店舗の場合には、当該店舗の住所や電話番号、名称となる。【００３２】
そして、映像出力中の任意のタイミングでユーザが操作入力をおこなうことによって、映像処理装置２００は、その操作入力に伴う入力情報を受け付けて、そのときに映像出力されている映像データに付随した地点情報を通信端末３００または地点情報検索装置４００に転送する。【００３３】
地点情報が通信端末３００に直接転送された場合は、地点情報は、地図データ表示処理や距離算出処理などの所定の処理に利用される。そして、通信端末３００において、転送された地点情報がこれらの処理に利用可能であれば、ユーザに当該地点情報を表示出力や音声出力などによって報知する。【００３４】
また、通信端末３００は、映像処理装置２００から転送される地点情報を受信できない状況となっている場合がある。たとえば、通信端末３００の電源がＯＦＦ状態となっている場合が挙げられる。このとき、映像処理装置２００から転送された地点情報は、一時的にＤＢ（データベース）サーバ２５０に格納される。そして、通信端末３００の電源がＯＮ状態となったときに自動的に、または、ユーザの操作によって、ＤＢサーバ２５０から地点情報を受信する。【００３５】
具体的には、たとえば、自宅でユーザが映像処理装置２００を用いて情報番組を視聴しているときに、評判のラーメン店Ａを紹介している映像データが表示されたとする。このとき、ユーザが映像処理装置２００のリモコンの特定ボタンを押下するなどの操作入力をおこなった場合、ラーメン店Ａを紹介している映像データに付随した地点情報がユーザが使用するカーナビゲーション装置などの通信端末３００に転送される。転送される地点情報は、ラーメン店Ａの住所、電話番号、店舗名など、そのラーメン店Ａの地点を特定するための情報である。【００３６】
なお、ユーザが自宅にいる場合、カーナビゲーション装置などの通信端末３００の電源は、ＯＦＦ状態となっているなど、映像処理装置２００から転送された地点情報を受信できない場合がある。このとき、映像処理装置２００から転送された地点情報は、ＤＢサーバ２５０に一時的に格納される。そして、ユーザが外出するときなどに、車に搭載された通信端末３００の電源をＯＮ状態にした場合、ＤＢサーバ２５０から地点情報を自動的に受信する。【００３７】
また、後日、ユーザが通信端末３００を搭載した車に乗車して外出中に、偶然、先日の情報番組で紹介されていたラーメン店Ａの近傍を通りかかった場合、通信端末３００は、そのラーメン店Ａの地点情報を表示画面上に表示する、または、音声出力することによってユーザに報知する。これにより、ユーザは、忘れていた、または忘れかけていた情報を、意図することなく知ることができる。【００３８】
このように、映像処理装置２００は、映像出力中の任意のタイミングでユーザが操作入力をおこなったときの映像データに付随した地点情報を、ユーザの通信端末３００に転送することができる。また、通信端末３００に転送された地点情報が実行中の処理に利用可能であれば、地点情報をユーザに自動的に報知することができる。これにより、ユーザは、忘れていた、または忘れかけていた情報を、意図することなく、知ることができ、ユーザによって取得した地点情報を有効に利用することができる。【００３９】
つぎに、地点情報が地点情報検索装置４００に転送された場合は、地点情報は、地点情報検索装置４００に格納される。そして、他のユーザが使用する通信端末３５０からの検索要求を受け付け、当該検索要求に応じた地点情報を、格納されている地点情報から検索する。このとき、通信端末３００からの検索要求を満たす地点情報を検索した場合は、その地点情報を通信端末３５０に転送する。【００４０】
そして、地点情報検索装置４００から通信端末３５０に転送された地点情報は、映像処理装置２００から、通信端末３００に直接転送された場合と同様に、地図データ表示処理や距離算出処理などの処理に利用される。そして、これらの処理に利用可能であれば、通信端末３５０は、他のユーザに地点情報を報知する。【００４１】
具体的には、たとえば、通信端末３００を使用するユーザが映像処理装置２００の操作入力をおこなうことによってラーメン店Ａの地点情報が地点情報検索装置４００に格納されているとする。このとき、通信端末３５０を使用する他のユーザが地点情報検索装置４００に飲食店に関する検索要求を送信した場合、飲食店に関するラーメン店Ａの地点情報が検索され、通信端末３５０に送信される。【００４２】
そして、他のユーザが通信端末３５０を搭載した車に乗車して外出中に、このラーメン店Ａの近傍を通りかかった場合、通信端末３５０は、そのラーメン店Ａの地点情報を表示画面上に表示したり、音声出力したりして他のユーザに報知する。これにより、通信端末３５０を使用する他のユーザは、通信端末３００を使用するユーザが取得したラーメン店Ａの情報を知ることができる。【００４３】
なお、通信端末３００から地点情報検索装置４００に転送された地点情報は、種々のカテゴリーごとにリスト化されて編集可能な状態で格納することもできる。この場合、通信端末３５０を使用する他のユーザは、地点情報検索装置４００にアクセスすることによって、リスト化された地点情報を閲覧することができ、このリストの中から所望の地点情報を選択して、地点情報を取得することができる。【００４４】
具体的には、たとえば、ラーメン店Ａの地点情報が飲食店のカテゴリーにリスト化されている場合、他のユーザは、この飲食店のカテゴリーからラーメン店Ａを選択することによって、ラーメン店Ａの地点情報を取得することができる。【００４５】
このように、地点情報検索装置４００にアクセス可能な通信端末３５０を使用するユーザであれば、地点情報検索装置４００に格納された地点情報を取得することができる。また、このように、通信端末３００を使用するユーザによって地点情報検索装置４００に格納された地点情報を、地点情報検索装置４００にアクセス可能な通信端末を使用する複数のユーザによって共有することができ、より有効に地点情報を利用することができる。【００４６】
つぎに、地点情報報知システム１００を構成する映像処理装置２００、通信端末３００および地点情報検索装置４００について具体的に説明する。【００４７】
（映像処理装置の機能的構成）
はじめに、この発明の実施の形態にかかる映像処理装置２００の機能的構成について説明する。図２は、この発明の実施の形態にかかる映像処理装置の機能的構成を示すブロック図である。図２において、映像処理装置２００は、デジタル放送受信部２０１と、受付部２０２と、抽出部２０３と、送信部２０４と、を備える。【００４８】
デジタル放送受信部２０１は、上述したデジタル放送波を受信する。デジタル放送受信部２０１は、デジタル放送波を復調して映像データおよび地点情報を取り出す。取り出された映像データおよび地点情報は、映像処理装置２００内のバッファに保持されて映像出力してもよく、ハードディスクに格納してもよい。【００４９】
受付部２０２は、映像内容によって特定される地物に関する地点情報を含む一連の映像データの映像出力中に、ユーザの操作入力を受け付ける。ここで、一連の映像データは、デジタル放送波として送信されてくるコンテンツのデータストリームである。コンテンツには、バラエティ、ドラマ、映画、アニメ、音楽、スポーツ、ニュース、情報番組などの各種放送番組や、放送番組間のＣＭも含まれる。【００５０】
また、一連の映像データは、映像フレーム、映像ショット、映像シーン、映像クリップなど所定の映像単位で構造化されており、地点情報は、映像単位ごとに付随されている。たとえば、あるラーメン店を放映する映像ショット列の各映像ショットには、当該ラーメン店の地点情報が付随している。【００５１】
一連の映像データは、ディスプレイに映像出力される。一連の映像データは、一連の映像データに関するコンテンツの放送中にディスプレイに映し出すことによって映像出力することとしてもよく、また、映像処理装置２００に録画したコンテンツまたはメディアに記録されたコンテンツの再生中にディスプレイに映し出すことによって映像出力することとしてもよい。【００５２】
ここで、ユーザは、映像処理装置２００および通信端末３００の利用者であり、一連の映像データの映像出力中に操作入力をおこなう。ユーザの操作入力は、一連の映像データの映像出力中に、映像処理装置２００の操作パネルを直接、または映像処理装置２００のリモコンによりおこなう。たとえば、操作パネルまたはリモコンの特定のボタンを押下することにより操作入力をおこなう。【００５３】
抽出部２０３は、受付部２０２によって操作入力が受け付けられたときの映像データから、当該映像データに含まれている地物に関する地点情報を抽出する。操作入力が受け付けられたときの映像データとは、映像処理装置２００の映像出力中の任意のタイミングでユーザが操作入力をおこなったときの映像データである。たとえば、操作入力をおこなったタイミングで映像出力されている映像データが、あるラーメン店Ａを特定する映像内容であった場合、この映像データに付随しているラーメン店Ａの地点情報を抽出する。【００５４】
送信部２０４は、抽出部２０３によって抽出された地物に関する地点情報を、ユーザの通信端末３００に送信する。なお、通信端末３００が送信部２０４から送信される地点情報を受信できない状況の場合は、送信された地点情報は、ＤＢサーバ２５０に格納される。そして、通信端末３００が受信可能な状況になったときに、自動的に、または、ユーザの操作によってＤＢサーバ２５０から地点情報を受信する。【００５５】
また、送信部２０４は、さらに、受付部２０２によって操作入力が受け付けられたときの映像データを、ユーザの通信端末３００に送信する構成としてもよい。ここで、ユーザの通信端末３００は、カーナビゲーション装置や携帯電話機などの移動体通信端末や、モバイルコンピュータなどの移動体情報端末であってもよく、また、デスクトップ型のパーソナルコンピュータなどの据え置き型のコンピュータ装置であってもよい。【００５６】
さらに、送信部２０４は、抽出部２０３によって抽出された地物に関する地点情報を、ユーザの通信端末３００から地物に関する検索要求を受け付ける地点情報検索装置４００に送信する構成としてもよい。地物に関する検索要求は、ユーザが操作入力をおこなったときの映像データに含まれる地物に関する検索要求である。また、送信部２０４は、さらに、受付部２０２によって操作入力が受け付けられたときの映像データを、地点情報検索装置４００に送信する構成としてもよい。【００５７】
これにより、たとえば、映像処理装置２００および通信端末３００を使用するユーザの入力操作によって、地点情報検索装置４００に送信されたラーメン店Ａの地点情報を、通信端末３５０を使用する他のユーザが利用することもできる。【００５８】
（通信端末の機能的構成）
つぎに、この発明の実施の形態にかかる通信端末３００の機能的構成について説明する。図３は、この発明の実施の形態にかかる通信端末の機能的構成を示すブロック図である。図３において、通信端末３００は、受信部３０１と、実行部３０２と、判断部３０３と、報知部３０４と、を備える。【００５９】
まず、受信部３０１は、映像内容によって特定される地物に関する地点情報を含む一連の映像データを映像出力する映像処理装置２００から、映像処理装置２００の映像出力中にユーザの操作入力が受け付けられたときの映像データに含まれる地物（以下「指定地物」）に関する地点情報を受信する。また、受信部３０１は、さらに、映像処理装置２００から映像処理装置２００の映像出力中にユーザの操作入力が受け付けられたときの映像データ（以下「指定映像データ」）を受信する構成としてもよい。【００６０】
具体的には、ユーザが操作入力をおこなったタイミングで映像出力されている映像データが、あるラーメン店Ａを特定する映像内容であった場合、この映像データに付随しているラーメン店Ａの地点情報を受信する。また、映像処理装置２００からラーメン店Ａを特定する映像内容である映像データが送信された場合は、さらにこの映像データも受信する。【００６１】
実行部３０２は、所定の処理を実行する。たとえば、実行部３０２は、地図データ表示処理、ルート探索処理、距離算出処理などの処理をおこなう。【００６２】
ここで、地図データ表示処理は、通信端末３００本体の表示画面に地図データを表示する。ここで、地図データとは、ノードおよびリンクからなる道路ネットワークデータと、施設や道路その他地形（山、川、土地）に関するフィーチャを用いて描画される画像データであり、通信端末３００の表示画面に表示される。さらに、文字情報、施設の名称や住所などの情報、道路や施設の画像、道路の渋滞情報、地形の起伏をあらわす表示色の濃淡、誘導ルートなどを、重畳表示することもできる。【００６３】
また、ルート探索処理は、任意の目的地点までのルートを探索する。具体的には、上述した地図データなどを利用して、出発地点から目的地点までのルートを探索する。【００６４】
また、距離算出処理は、特定地点と指定地物との距離を算出する。算出される距離は、特定地点と指定地物との直線距離であってもよいし、特定地点から指定地物までの道なりの距離であってもよい。【００６５】
判断部３０３は、実行部３０２による現在実行中の処理の内容に基づいて、受信部３０１によって受信された指定地物に関する地点情報が、現在実行中の処理に利用可能か否かを判断する。具体的には、たとえば、通信端末３００の表示画面に地図データが表示されている場合は、受信したラーメン店Ａの地点情報が表示可能か否かを判断する。【００６６】
また、判断部３０３は、通信端末３００本体によって特定された特定地点に関する地点情報（以下「特定地点情報」）と指定地物に関する地点情報とに基づいて、指定地物に関する地点情報が、現在実行中の処理に利用可能か否かを判断する構成としてもよい。ここで、特定地点情報とは、たとえば、通信端末３００本体の現在地点情報であってもよいし、ユーザによって指定された任意の地点情報であってもよい。【００６７】
たとえば、判断部３０３は、実行部３０２による地図データ処理により表示画面上に特定地点情報が表示されている場合、指定地物に関する地点情報が、表示画面上に表示可能か否かを判断する。具体的には、たとえば、地図データ上に表示されているカーソルをユーザが任意の方向にスクロールさせることによって、表示画面に表示される地図データの内容を変更することができる。このとき、判断部３０３は、ラーメン店Ａの地点情報が、変更された地図データ上に表示可能か否かを判断する。【００６８】
また、判断部３０３は、実行部３０２によるルート探索処理によって探索されたルート上またはその近傍に、指定地物が位置するか否かを判断する。さらに、判断部３０３は、実行部３０２による距離算出処理によって算出された距離が処理距離以下であるか否かを判断する。具体的には、たとえば、通信端末３００の現在地点とラーメン店Ａの所在地点との距離を算出し、その算出結果が所定距離以下であるか否かを判断する。【００６９】
報知部３０４は、判断部３０３によって判断された判断結果に基づいて、ユーザに報知する。たとえば、報知部３０４は、判断部３０３によって指定地物に関する地点情報が、現在実行中の処理に利用可能であると判断された場合、指定地物に関する地点情報を通信端末３００本体の表示画面上に表示する。具体的には、たとえば、通信端末３００本体の表示画面に現在表示中の地図データ上に、受信したラーメン店Ａの地点情報が表示可能であると判断した場合は、現在表示中の地図データ上にラーメン店Ａの地点情報を表示する。【００７０】
また、報知部３０４は、判断部３０３によって指定地物に関する地点情報が、現在実行中の処理に利用可能であると判断された場合、指定地物に関する地点情報または当該地点情報に関する報知音を音声出力する。具体的には、たとえば、通信端末３００本体の表示画面に現在表示中の地図データ上に、受信したラーメン店Ａの地点情報が表示可能であると判断した場合は、現在表示中の地図データ上にラーメン店Ａの地点情報を表示するとともに、特定の効果音を音声出力してラーメン店Ａが表示画面に表示されている旨を、ユーザに報知する。【００７１】
さらに、報知部３０４は、判断部３０３によって指定地物に関する地点情報が、現在実行中の処理に利用可能であると判断された場合、通信端末３００本体を振動させる。また、判断部３０３によって指定地物に関する地点情報が、現在実行中の処理に利用可能であると判断された場合、受信部３０１によって受信された指定映像データを通信端末３００本体の表示画面上に表示する構成としてもよい。【００７２】
具体的には、たとえば、通信端末３００本体の現在地点とラーメン店Ａとの距離が所定距離以下となった場合、通信端末３００本体を振動させ、ユーザの現在地点近傍にラーメン店Ａが位置していることを報知する。【００７３】
なお、上述したように、ユーザの通信端末３００は、カーナビゲーション装置や携帯電話機などの移動体通信端末や、モバイルコンピュータなどの移動体情報端末であってもよく、また、デスクトップ型のパーソナルコンピュータなどの据え置き型のコンピュータ装置であってもよい。【００７４】
（地点情報検索装置の機能的構成）
つづいて、この発明の実施の形態にかかる地点情報検索装置の機能的構成について説明する。図４は、この発明の実施の形態にかかる地点情報検索装置の機能的構成を示すブロック図である。図４において、地点情報検索装置４００は、地点情報受信部４０１と、記憶部４０２と、検索要求受信部４０３と、抽出部４０４と、送信部４０５と、を備える。【００７５】
地点情報検索装置４００の地点情報受信部４０１は、映像内容によって特定される地物に関する地点情報を含む一連の映像データを映像出力する映像処理装置２００から、指定地物に関する地点情報を受信する。なお、地点情報受信部４０１は、さらに、映像処理装置２００から指定映像データを受信する構成としてもよい。【００７６】
記憶部４０２は、地点情報受信部４０１によって受信された指定地物に関する地点情報を記憶する。さらに、記憶部４０２は、地点情報受信部４０１によって受信された指定映像データを記憶する構成としてもよい。たとえば、地点情報受信部４０１によってラーメン店Ａの地点情報とともに、ラーメン店Ａを特定する映像内容である映像データを受信した場合、ラーメン店Ａの地点情報と、映像データとを関連づけて記憶する。【００７７】
検索要求受信部４０３は、映像表示装置２００の映像出力中に操作入力をおこなったユーザ以外の他のユーザの通信端末３５０から指定地物に関する検索要求を受信する。また、検索要求受信部４０３が受信する上記検索要求には、他のユーザの通信端末３５０によって特定された特定地点情報が含まれていてもよい。なお、他のユーザの通信端末３５０は、カーナビゲーション装置や携帯電話機などの移動体通信端末やモバイルコンピュータなどの移動体情報端末であってもよく、また、デスクトップ型のパーソナルコンピュータなどの据え置き型のコンピュータ装置であってもよい。【００７８】
抽出部４０４は、検索要求受信部４０３によって受信された検索要求に応じた地点情報を、記憶部４０２に記憶された指定地物に関する地点情報の中から抽出する。また、抽出部４０４は、特定地点情報に応じた地点情報を、記憶部４０２に記憶された地点情報の中から抽出する構成としてもよい。さらに、抽出部４０４は、記憶部４０２から指定地物に関する地点情報とともに、指定映像データを抽出する構成としてもよい。【００７９】
たとえば、通信端末３５０からラーメン店Ａに関する検索要求があった場合、記憶部４０２に記憶されたラーメン店Ａの地点情報を抽出するとともに、ラーメン店Ａを特定する映像内容である映像データを抽出する。【００８０】
送信部４０５は、抽出部４０４によって抽出された地点情報を、検索要求を送信した他のユーザの通信端末３５０に送信する。このとき、抽出部４０４によって抽出した指定映像データを地点情報とともに送信する構成としてもよい。【００８１】
具体的には、たとえば、ラーメン店Ａの地点情報をラーメン店Ａの検索要求があった通信端末３５０に送信する。このとき、ラーメン店Ａを特定する映像内容である映像データを抽出している場合は、さらに、この映像データを通信端末３５０に送信する。【００８２】
（地点情報報知システムのシステム処理手順）
つぎに、この発明の実施の形態にかかる地点情報報知システムのシステム処理手順の一例について説明する。図５は、この発明の実施の形態にかかる地点情報報知システムのシステム処理手順の一例を示すフローチャートである。図５において、まず、映像処理装置２００のデジタル放送受信部２０１によってデジタル放送波を受信する（ステップＳ５０１）。そして、映像処理装置２００は、受信したデジタル放送波を映像出力する。また、映像処理装置２００は、映像処理装置２００に録画した映像データまたはメディアに記録された映像データを再生出力するものとしてもよい。【００８３】
つぎに、映像処理装置２００の受付部２０２は、映像内容によって特定される地物に関する地点情報を含む一連の映像データの映像出力中に、ユーザの操作入力を受け付けたか否かを判断する（ステップＳ５０２）。ユーザの操作入力は、一連の映像データの映像出力中の任意のタイミングでおこなうことができる。【００８４】
ステップＳ５０２において、映像処理装置２００は、ユーザの操作入力を受け付けるのを待って、受け付けた場合（ステップＳ５０２：Ｙｅｓ）は、映像処理装置２００の抽出部２０３は、受付部２０２によって操作入力が受け付けられたときの映像データから、当該映像データに含まれている地物に関する地点情報を抽出する（ステップＳ５０３）。【００８５】
つづいて、映像処理装置２００の送信部２０４は、抽出部２０３によって抽出された地物に関する地点情報を、ユーザの通信端末３００に送信する（ステップＳ５０４）。そして、通信端末３００の受信部３０１は、映像処理装置２００の送信部２０４から送信された地点情報を受信する（ステップＳ５０５）。つづいて、通信端末３００の判断部３０３は、実行部３０２が実行する所定の処理に、受信部３０１によって受信された地点情報が、現在実行中の処理に利用可能か否かを判断する（ステップＳ５０６）。【００８６】
ステップＳ５０６において、通信端末３００の判断部３０３によって利用可能と判断された場合（ステップＳ５０６：Ｙｅｓ）は、映像処理装置２００の報知部３０４は、判断部３０３の判断結果に基づいて、ユーザに報知して（ステップＳ５０７）、一連の処理を終了する。【００８７】
なお、ステップＳ５０４において、映像処理装置２００の送信部２０４は、抽出部２０３によって抽出された地点情報とともに、受付部２０２によってユーザの操作入力が受け付けられたときの映像データを通信端末３００に送信する構成としてもよい。【００８８】
つぎに、この発明の実施の形態にかかる地点情報報知システムのシステム処理手順の他の一例について説明する。図６は、この発明の実施の形態にかかる地点情報報知システムのシステム処理手順の他の一例を示すフローチャートである。図６において、まず、映像処理装置２００のデジタル放送受信部２０１によってデジタル放送波を受信する（ステップＳ６０１）。そして、映像処理装置２００は、受信したデジタル放送波を映像出力する。また、映像処理装置２００は、映像処理装置２００に録画した映像データまたはメディアに記録された映像データを再生出力するものとしてもよい。【００８９】
つぎに、映像処理装置２００の受付部２０２は、映像内容によって特定される地物に関する地点情報を含む一連の映像データの映像出力中に、ユーザの操作入力を受け付けたか否かを判断する（ステップＳ６０２）。ユーザの操作入力は、一連の映像データの映像出力中の任意のタイミングでおこなうことができる。【００９０】
ステップＳ６０２において、映像処理装置２００は、ユーザの操作入力を受け付けるのを待って、受け付けた場合（ステップＳ６０２：Ｙｅｓ）は、映像処理装置２００の抽出部２０３は、受付部２０２によって操作入力が受け付けられたときの映像データから、当該映像データに含まれている地物に関する地点情報を抽出する（ステップＳ６０３）。【００９１】
つづいて、映像処理装置２００の送信部２０４は、抽出部２０３によって抽出された地物に関する地点情報を、地点情報検索装置４００に送信する（ステップＳ６０４）。そして、地点情報検索装置４００の地点情報受信部４０１は、映像処理装置２００の送信部２０４から送信された地点情報を受信する（ステップＳ６０５）。つづいて、地点情報検索装置４００の記憶部４０２は、地点情報受信部４０１によって受信された地点情報を記憶する（ステップＳ６０６）。【００９２】
つづいて、地点情報検索装置４００の検索要求受信部４０３によって、他のユーザが使用する通信端末３５０から指定地物に関する検索要求を受信したか否かを判断する（ステップＳ６０７）。地点情報検索装置４００は、検索要求受信部４０３によって、検索要求を受信するのを待って、受信した場合（ステップＳ６０７：Ｙｅｓ）は、地点情報検索装置４００の抽出部４０４は、検索要求受信部４０３によって受信された検索要求に応じた地点情報を、記憶部４０２に記憶された地点情報の中から抽出する（ステップＳ６０８）。【００９３】
つぎに、地点情報検索装置４００の送信部４０５は、抽出部４０４によって抽出された地点情報を、検索要求を送信した他のユーザが使用する通信端末３５０に送信する（ステップＳ６０９）。そして、通信端末３５０において、図５のフローチャートのＳ５０５〜Ｓ５０７に示す処理と同様の処理をおこない、一連の処理を終了する（ステップＳ６１０）。【００９４】
以上説明したように、本実施の形態によれば、映像処理装置２００の映像出力中の任意のタイミングにユーザの操作入力を受け付けることによって、操作入力を受け付けたときの映像データに含まれる地点情報を抽出することができる。そして、抽出した地点情報をユーザの通信端末３００に送信することによって、ユーザの通信端末３００において実行される所定の処理に利用することができる。【００９５】
また、通信端末３００において、受信した地点情報が実行中の所定の処理に利用可能か否かを判断し、この判断結果に基づいて、ユーザに報知することができる。このように、ユーザが簡単な操作入力をおこなうことによって抽出した地点情報を、自動的にユーザの通信端末３００に送信し、通信端末３００において実行中の処理に利用することができる。このため、ユーザの操作入力によって抽出された地点情報を有効に活用することができる。【００９６】
さらに、ユーザに対して、抽出した地点情報に関する情報を自動的に表示出力や音声出力によって報知することができる。これにより、ユーザは、忘れていた、または忘れかけていた情報を、意図することなく知ることができる。【００９７】
また、映像処理装置２００によって抽出した地点情報を地点情報検索装置４００に格納することができる。そして、地点情報検索装置４００を介して、複数のユーザによって地点情報を共有することができ、複数の通信端末において実行中の処理に地点情報を利用することができる。このため、映像処理装置２００によって抽出した地点情報をより有効に利用することができる。
【実施例１】
【００９８】
以下に、上述した実施の形態にかかる映像処理装置２００および通信端末３００の実施例１について説明する。この実施例１は、上述した映像処理装置２００を、自宅のテレビなどの据え置き型の映像表示装置７００に、通信端末３００を、車両（四輪車、二輪車を含む）などの移動体や携帯型電話機などの可搬型端末に搭載されるナビゲーション装置８００に適用した例である。【００９９】
（映像表示装置のハードウェア構成）
まず、この発明の実施例１にかかる映像表示装置のハードウェア構成について説明する。図７は、この発明の実施例１にかかる映像表示装置のハードウェア構成を示すブロック図である。図７において、映像表示装置７００は、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、マイク７０９と、スピーカ７１０と、入力デバイス７１１と、映像Ｉ／Ｆ７１２と、ディスプレイ７１３と、通信Ｉ／Ｆ（インターフェース）７１４と、を備えている。各構成部７０１〜７１４はバス７１５によってそれぞれ接続されている。【０１００】
まず、ＣＰＵ７０１は、映像表示装置７００の全体の制御を司る。ＲＯＭ７０２は、ブートプログラムや映像処理プログラムなどのプログラムを記録している。なお、映像処理プログラムについての詳細な説明は後述する。【０１０１】
ＲＡＭ７０３は、ＣＰＵ７０１のワークエリアとして使用される。磁気ディスクドライブ７０４は、ＣＰＵ７０１の制御にしたがって磁気ディスク７０５に対するデータのリード／ライトを制御する。磁気ディスク７０５は、磁気ディスクドライブ７０４の制御で書き込まれたデータを記録する。【０１０２】
具体的には、たとえば、磁気ディスクドライブ７０４は、バラエティ、ドラマ、映画、アニメ、音楽、スポーツ、ニュース、情報番組などの各種放送番組や、放送番組間のＣＭを、磁気ディスク７０５に記録する。磁気ディスク７０５としては、たとえば、ＨＤ（ハードディスク）やＦＤ（フレキシブルディスク）を用いることができる。【０１０３】
光ディスクドライブ７０６は、ＣＰＵ７０１の制御にしたがって光ディスク７０７に対するデータのリード／ライトを制御する。光ディスク７０７は、光ディスクドライブ７０６の制御にしたがって光ディスク７０７からデータの読み出される着脱自在な記録媒体である。光ディスク７０７は、書き込み可能な記録媒体を利用することもできる。上述した各種放送番組や放送番組間のＣＭなどは、光ディスク７０７に記録されていてもよい。また、この着脱可能な記録媒体として、光ディスク７０７のほか、ＭＯ、メモリカードなどであってもよい。【０１０４】
また、音声Ｉ／Ｆ７０８は、音声入力用のマイク７０９および音声出力用のスピーカ７１０に接続される。マイク７０９に受音された音声は、音声Ｉ／Ｆ７０８内でＡ／Ｄ変換される。また、スピーカ７１０からは音声が出力される。また、入力デバイス７１１は、文字、数値、各種指示等の入力のための複数のキーを備えたリモコン、キーボード、マウス、タッチパネルなどが挙げられる。【０１０５】
また、映像Ｉ／Ｆ７１２は、ディスプレイ７１３と接続される。映像Ｉ／Ｆ７１２は、具体的には、たとえば、ディスプレイ７１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７１３を表示制御する制御ＩＣなどによって構成される。【０１０６】
ディスプレイ７１３には、アイコン、カーソル、メニュー、ウインドウ、あるいは文字や画像等の各種データが表示される。このディスプレイ７１３は、たとえば、ＣＲＴ、ＴＦＴ液晶ディスプレイ、プラズマディスプレイなどを採用することができる。【０１０７】
また、通信Ｉ／Ｆ７１４は、無線、あるいは通信ケーブルを介してネットワークに接続され、このネットワークとＣＰＵ７０１とのインターフェースとして機能する。具体的には、たとえば、ネットワークに接続されたナビゲーション装置８００と、ＣＰＵ７０１とのインターフェースとして機能する。ネットワークには、ＬＡＮ、ＷＡＮ、公衆回線網や携帯電話網などがある。【０１０８】
さらに、通信Ｉ／Ｆ７１４は、デジタルチューナー、ＢＳチューナーなどを備えている。テレビ局からデジタル放送波として送信されてくる放送番組などのコンテンツを受信することが可能である。【０１０９】
ここで、ＲＯＭ７０２に記録されている映像処理プログラムの処理内容について説明する。映像処理プログラムは、通信Ｉ／Ｆ７１４のデジタルチューナーを介して受信したデジタル放送波の映像データの中から地点情報を抽出する。具体的には、ユーザが入力デバイス７１１であるリモコンの特定ボタンを押下することによって、そのときに映像出力中の映像データに付随した地点情報を抽出する。そして、抽出した地点情報を通信Ｉ／Ｆ７１４を介して、ナビゲーション装置８００に送信する。【０１１０】
（ナビゲーション装置のハードウェア構成）
つぎに、この発明の実施例１にかかるナビゲーション装置のハードウェア構成について説明する。図８は、この発明の実施例１にかかるナビゲーション装置のハードウェア構成を示すブロック図である。図８において、ナビゲーション装置８００は、ＣＰＵ８０１と、ＲＯＭ８０２と、ＲＡＭ８０３と、磁気ディスクドライブ８０４と、磁気ディスク８０５と、光ディスクドライブ８０６と、光ディスク８０７と、音声Ｉ／Ｆ（インターフェース）８０８と、マイク８０９と、スピーカ８１０と、入力デバイス８１１と、映像Ｉ／Ｆ８１２と、ディスプレイ８１３と、通信Ｉ／Ｆ（インターフェース）８１４と、ＧＰＳレシーバ８１５と、を備えている。各構成部８０１〜８１５はバス８１６によってそれぞれ接続されている。【０１１１】
まず、ＣＰＵ８０１は、ナビゲーション装置８００の全体の制御を司る。ＲＯＭ８０２は、ブートプログラム、ルート探索プログラム、ルート誘導プログラム、音声生成プログラム、地点情報報知プログラムなどのプログラムを記録している。【０１１２】
ここで、ルート探索プログラムは、光ディスク８０７に記録されている地図データなどを利用して、出発地点から目的地点までの最適なルートを探索する。ここで、最適なルートとは、目的地点までの最短（あるいは最速）ルートや利用者が指定した条件にもっとも合致するルートなどである。ルート探索プログラムを実行することによって探索された誘導ルートは、ＣＰＵ８０１を介して音声Ｉ／Ｆ８０８や映像Ｉ／Ｆ８１２へ出力される。【０１１３】
また、ルート誘導プログラムは、ルート探索プログラムを実行することによって探索された誘導ルート情報、通信Ｉ／Ｆ８１４によって取得されたナビゲーション装置８００の現在地点情報、光ディスク８０７から読み出された地図データに基づいて、リアルタイムなルート誘導情報の生成をおこなう。ルート誘導プログラムを実行することによって生成されたルート誘導情報は、ＣＰＵ８０１を介して音声Ｉ／Ｆ８０８や映像Ｉ／Ｆ８１２へ出力される。【０１１４】
また、音声生成プログラムは、パターンに対応したトーンと音声の情報を生成する。すなわち、ルート誘導プログラムを実行することによって生成されたルート誘導情報に基づいて、案内ポイントに対応した仮想音源の設定と音声ガイダンス情報の生成をおこない、ＣＰＵ８０１を介して音声Ｉ／Ｆ８０８へ出力する。【０１１５】
また、地点情報報知プログラムは、ＣＰＵ８０１によって現在実行中の処理に、映像表示装置７００または後述する検索サーバ１７００から転送された地点情報が利用可能か否かを判断し、この判断結果に基づいて、報知情報の生成をおこなう。地点情報報知プログラムを実行することによって生成された報知情報は、ＣＰＵ８０１を介して音声Ｉ／Ｆ８０８や映像Ｉ／Ｆ８１２へ出力される。【０１１６】
ＲＡＭ８０３は、ＣＰＵ８０１のワークエリアとして使用される。磁気ディスクドライブ８０４は、ＣＰＵ８０１の制御にしたがって磁気ディスク８０５に対するデータのリード／ライトを制御する。磁気ディスク８０５は、磁気ディスクドライブ８０４の制御で書き込まれたデータを記録する。磁気ディスク８０５としては、たとえば、ＨＤ（ハードディスク）やＦＤ（フレキシブルディスク）を用いることができる。【０１１７】
光ディスクドライブ８０６は、ＣＰＵ８０１の制御にしたがって光ディスク８０７に対するデータのリード／ライトを制御する。光ディスク８０７は、光ディスクドライブ８０６の制御にしたがって光ディスク８０７からデータの読み出される着脱自在な記録媒体である。光ディスク８０７は、書き込み可能な記録媒体を利用することもできる。また、この着脱可能な記録媒体として、光ディスク８０７のほか、ＭＯ、メモリカードなどであってもよい。光ディスク８０７には、上述した地図データが記録されている。地図データは、ルート探索およびルート誘導に用いられる。【０１１８】
また、音声Ｉ／Ｆ８０８は、音声入力用のマイク８０９および音声出力用のスピーカ８１０に接続される。マイク８０９に受音された音声は、音声Ｉ／Ｆ８０８内でＡ／Ｄ変換される。また、スピーカ８１０からは音声が出力される。また、入力デバイス８１１は、文字、数値、各種指示等の入力のための複数のキーを備えたリモコン、キーボード、マウス、タッチパネルなどが挙げられる。【０１１９】
また、映像Ｉ／Ｆ８１２は、ディスプレイ８１３と接続される。映像Ｉ／Ｆ８１２は、具体的には、たとえば、ディスプレイ８１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ８１３を表示制御する制御ＩＣなどによって構成される。【０１２０】
ディスプレイ８１３には、アイコン、カーソル、メニュー、ウインドウ、あるいは文字や画像等の各種データが表示される。このディスプレイ８１３は、たとえば、ＣＲＴ、ＴＦＴ液晶ディスプレイ、プラズマディスプレイなどを採用することができる。【０１２１】
また、通信Ｉ／Ｆ８１４は、無線、あるいは通信ケーブルを介してネットワークに接続され、このネットワークとＣＰＵ８０１とのインターフェースとして機能する。具体的には、たとえば、ネットワークに接続された映像表示装置７００および検索サーバ１７００と、ＣＰＵ８０１とのインターフェースとして機能する。ネットワークには、ＬＡＮ、ＷＡＮ、公衆回線網や携帯電話網等がある。通信Ｉ／Ｆ８１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線通信機器、およびその他の通信機器によって構成され、ＶＩＣＳセンターから配信される渋滞や交通規制などの道路交通情報を取得する。【０１２２】
また、ＧＰＳレシーバ８１５は、ＧＰＳ（Ｇｌｏｂａｌ  Ｐｏｓｉｔｉｏｎｉｎｇ  Ｓｙｓｔｅｍ）や各種センサからの出力値を用いて、移動体の現在位置（ナビゲーション装置８００の現在位置）を示す情報を取得する。【０１２３】
なお、図２に示した映像処理装置２００のデジタル放送受信部２０１、受付部２０２、抽出部２０３、送信部２０４は、図７に示した映像表示装置７００のＲＯＭ７０２、ＲＡＭ７０３、磁気ディスク７０５、光ディスク７０７などに記録されたプログラムをＣＰＵ７０１が実行し、映像表示装置２００における各部を制御することによってその機能を実現する。【０１２４】
また、図３に示した通信端末３００の受信部３０１、実行部３０２、判断部３０３、報知部３０４は、図８に示したナビゲーション装置８００のＲＯＭ８０２、ＲＡＭ８０３、磁気ディスク８０５、光ディスク８０７などに記録されたプログラムをＣＰＵ８０１が実行し、ナビゲーション装置における各部を制御することによってその機能を実現する。【０１２５】
上述したように、実施例１によれば、映像表示装置７００は、ユーザが操作入力をおこなったときに映像出力中の映像データに付随した地点情報をナビゲーション装置８００に送信することができる。このため、ユーザは、映像表示装置７００の映像出力中に、任意のタイミングで簡単な操作入力をおこなうだけで、そのとき映像出力されていた映像データに付随する地点情報を取得することができる。【０１２６】
また、ナビゲーション装置８００は、映像表示装置７００から送信された地点情報を実行中の処理に利用することによって、ユーザに報知することができる。このため、ユーザは、忘れていた、または、忘れかけていた情報を、ユーザが意図することなく知ることができる。
【実施例２】
【０１２７】
つぎに、上述した実施の形態にかかる映像処理装置２００および通信端末３００の実施例２について説明する。この実施例２も、上述した実施例１と同様、上述した映像処理装置２００を、自宅のテレビなどの据え置きの映像表示装置７００に、通信端末３００を、車両（四輪車、二輪車を含む）などの移動体や携帯型電話機などの可搬型端末に搭載されるナビゲーション装置８００に適用した例である。【０１２８】
この実施例２にかかるナビゲーション装置８００は、実施例１で示したハードウェア構成を用いて、映像表示装置７００から送信された地点情報がナビゲーション装置８００のディスプレイ８１３に表示可能か否か判断する。なお、実施例２にかかる映像表示装置７００およびナビゲーション装置８００のハードウェア構成（図７，８参照）は、上述した実施例１と同様であるため、その説明を省略する。【０１２９】
まず、実施例２にかかるナビゲーション装置８００が受信する地点情報について説明する。図９は、映像表示装置のリモコンを用いて、ユーザが操作入力をおこなう一例を示す説明図である。図９に示すように、ユーザは、映像表示装置７００を用いて自宅で情報番組を視聴している。【０１３０】
このとき、映像表示装置７００のディスプレイ７１３に、ユーザの興味を喚起させるラーメン店の映像データ９０３が表示されたとする。そして、ユーザがこのラーメン店に関する情報を欲しいと思った場合、ディスプレイ７１３にラーメン店の映像データ９０３が表示されている間に映像表示装置７００のリモコン９０１に設けられたきっかけボタン９０２を押下する。【０１３１】
ユーザがきっかけボタン９０２を押下した場合、ラーメン店の映像データ９０３に付随する地点情報１０００（図１０参照）が映像表示装置７００の通信Ｉ／Ｆ７１４を介して、ユーザのナビゲーション装置８００に送信される。このとき、地点情報１０００とともに、きっかけボタン９０２が押下されたときに映像出力されていたラーメン店の映像データ９０３が映像表示装置７００から、ユーザのナビゲーション装置８００に転送されてもよい。【０１３２】
ここで、ユーザがきっかけボタン９０２を押下した場合に、ナビゲーション装置８００に送信される地点情報について説明する。図１０は、地点情報の一例を示した説明図である。図１０に示すように、地点情報１０００には、情報番組が放送された日付、情報番組の番組名、ラーメン店の店舗名、住所、電話番号が含まれている。【０１３３】
なお、自宅の映像表示装置７００からナビゲーション装置８００に地点情報１０００が送信されたときに、ナビゲーション装置８００の電源がＯＦＦ状態となっているなど、ナビゲーション装置８００が地点情報１０００を受信できない場合がある。このとき、自宅の映像表示装置７００から送信された地点情報１０００は、ＤＢサーバなどの情報を格納することができるサーバに一時的に格納される。【０１３４】
そして、ユーザが外出するときなどに、ナビゲーション装置８００の電源がＯＮ状態となった場合に、自動的に、または、ユーザが入力デバイス７１１を操作してＤＢサーバに問い合わせをすることによって、一時的にＤＢサーバに格納された地点情報１０００を受信する。【０１３５】
（ナビゲーション装置の地点情報報知処理手順）
つぎに、実施例２にかかるナビゲーション装置８００の地点情報報知処理手順について説明する。図１１は、実施例２にかかるナビゲーション装置の地点情報報知処理手順を示すフローチャートである。図１１のフローチャートにおいて、まず、ＣＰＵ８０１は、映像表示装置７００から送信された地点情報１０００を受信したか否かを判断する（ステップＳ１１０１）。【０１３６】
地点情報１０００は、上述したように、ユーザが自宅で情報番組を視聴しているときに、リモコン９０１のきっかけボタン９０２を押下したときの映像データに付随した情報である。受信した地点情報１０００は、ナビゲーション装置８００のＲＯＭ８０２、ＲＡＭ８０３、磁気ディスク８０５、あるいは光ディスク８０７などの記録媒体に記録される。【０１３７】
ステップＳ１１０１において、地点情報１０００を受信するのを待って、受信した場合（ステップＳ１１０１：Ｙｅｓ）には、ＣＰＵ８０１は、ディスプレイ８１３に現在表示中の地図データ上に受信した地点情報１０００が表示可能か否かを判断する（ステップＳ１１０２）。【０１３８】
通常、ディスプレイ８１３に表示される地図データは、ナビゲーション装置８００が搭載された車両などの移動体の現在位置情報に基づいて、表示位置が特定されている。このとき、特定の縮尺で地図データが表示されている。特定の縮尺は、ユーザの操作によって変更可能であり、ユーザが入力デバイス８１１を操作することによっておこなう。【０１３９】
たとえば、実際の１／２５０００の縮尺によって表示されている地図データをユーザの操作により、１／５００００の縮尺に変更することができ、より広域なエリアを表示することができる。また、地図データ上に表示されているカーソルを、ユーザが入力デバイス８１１を操作することによって、任意の方向にスクロールさせることができ、表示位置を変更することができる。【０１４０】
ステップＳ１１０２において、ディスプレイ８１３に表示可能であると判断された場合（ステップＳ１１０２：Ｙｅｓ）は、ユーザに報知して（ステップＳ１１０３）、一連の処理を終了する。【０１４１】
上述した実施例２によれば、映像表示装置７００から送信された地点情報１０００がディスプレイ８１３に表示可能であると判断された場合は、ユーザに報知することができる。
【実施例３】
【０１４２】
つづいて、上述した実施の形態にかかる映像処理装置２００および通信端末３００の実施例３について説明する。この実施例３も、上述した実施例１，２と同様、上述した映像処理装置２００を、自宅のテレビなどの据え置きの映像表示装置７００に、通信端末３００を、車両（四輪車、二輪車を含む）などの移動体や携帯型電話機などの可搬型端末に搭載されるナビゲーション装置８００に適用した例である。【０１４３】
この実施例３にかかるナビゲーション装置８００は、実施例１で示したハードウェア構成を用いて、任意の目的地点までのルートを探索するルート探索プログラムを実行した場合に、その探索されたルート上または、その近傍に地点情報１０００によって特定される地点が位置しているか否かを判断する。なお、実施例３にかかる映像表示装置７００およびナビゲーション装置８００のハードウェア構成（図７，８参照）は、上述した実施例１と同様であるため、その説明を省略する。また、実施例２において説明した箇所と同一箇所については、図示および説明を省略する。以下、同様とする。【０１４４】
（ナビゲーション装置の地点情報報知処理手順）
まず、実施例３にかかるナビゲーション装置８００の地点情報報知処理手順について説明する。図１２は、実施例３にかかるナビゲーション装置の地点情報報知処理手順を示すフローチャートである。図１２のフローチャートにおいて、まず、ＣＰＵ８０１は、映像表示装置７００から送信された地点情報１０００を受信したか否かを判断する（ステップＳ１２０１）。【０１４５】
つぎに、ＣＰＵ８０１は、ユーザによって任意の目的地点が設定されたか否かを判断する（ステップＳ１２０２）。目的地点の設定は、ユーザが入力デバイス７１１を操作しておこなうことができる。そして、ステップＳ１２０２において、目的地点の設定がおこなわれるのを待って、おこなわれた場合（ステップＳ１２０２：Ｙｅｓ）は、目的地点までのルートを探索する。ルート探索は、ＣＰＵ８０１がルート探索プログラムを実行することによっておこない、目的地点までの最適なルートを探索する（ステップＳ１２０３）。【０１４６】
つづいて、ＣＰＵ８０１は、探索された目的地点までのルート上またはその近傍に受信した地点情報１０００によって特定される地点が位置しているか否かを判断する（ステップＳ１２０４）。具体的には、たとえば、探索された目的地点までのルート上から半径５００ｍ以内に、地点情報１０００によって特定される地点が位置している場合は、ルート上またはその近傍に位置していると判断する。【０１４７】
また、現在地点から目的地点までのルート探索をおこなった場合、目的地点までの走行距離や走行時間、渋滞情報などの交通情報を加味してルート探索がおこなわれ、複数の探索結果が得られる。この場合、ＣＰＵ８０１は、複数の探索結果のすべてに対して、ルート上またはその近傍に受信した地点情報１０００によって特定される地点が位置しているか否かを判断する。【０１４８】
そして、位置していると判断した場合（ステップＳ１２０４：Ｙｅｓ）は、ユーザに報知して（ステップＳ１２０５）、一連の処理を終了する。【０１４９】
なお、受信した地点情報によって特定される地点が、探索された目的地点までのルート上またはその近傍に位置していない場合（ステップＳ１２０４：Ｎｏ）は、一連の処理を終了する。【０１５０】
上述した実施例３によれば、ユーザが任意の目的地点を設定し、その目的地点までのルートを探索するルート探索プログラムを実行した場合に、その探索されたルート上または、その近傍に地点情報によって特定される地点が位置しているときは、ユーザに報知することができる。
【実施例４】
【０１５１】
つぎに、上述した実施の形態にかかる映像処理装置２００および通信端末３００の実施例４について説明する。この実施例４も、上述した実施例１〜３と同様、上述した映像処理装置２００を、自宅のテレビなどの据え置きの映像表示装置７００に、通信端末３００を、車両（四輪車、二輪車を含む）などの移動体や携帯型電話機などの可搬型端末に搭載されるナビゲーション装置８００に適用した例である。【０１５２】
この実施例４にかかるナビゲーション装置８００は、実施例１で示したハードウェア構成を用いて、ユーザの現在地点またはユーザによって任意に指定した地点と、受信した地点情報１０００によって特定される地点までの距離を算出し、この算出結果が所定距離以下であるか否かを判断する。なお、実施例４にかかる映像表示装置７００およびナビゲーション装置８００のハードウェア構成（図７，８参照）は、上述した実施例１と同様であるため、その説明を省略する。【０１５３】
（ナビゲーション装置の地点情報報知処理手順）
まず、実施例４にかかるナビゲーション装置８００の地点情報報知手順について説明する。図１３は、実施例４にかかるナビゲーション装置の地点情報報知手順を示すフローチャートである。図１３のフローチャートにおいて、まず、ＣＰＵ８０１は、地点情報１０００を受信したか否かを判断する（ステップＳ１３０１）。【０１５４】
つぎに、ＣＰＵ８０１は、特定地点が特定されたか否かを判断する（ステップＳ１３０２）。特定地点は、ユーザの現在地点であってもよいし、ユーザがディスプレイ８１３に表示されている地図データ上の任意の地点を指定することによって特定してもよい。【０１５５】
つづいて、特定地点が特定されるのを待って、特定された場合（ステップＳ１３０２：Ｙｅｓ）は、特定地点と地点情報１０００によって特定される地点との距離を算出する（ステップＳ１３０３）。距離算出は、ＣＰＵ８０１が距離算出プログラムを実行することによっておこなう。【０１５６】
つぎに、ＣＰＵ８０１は、ステップＳ１３０３における算出結果が所定距離以下であるか否かを判断する（ステップＳ１３０４）。ここで、所定距離とは、あらかじめユーザが任意に設定した距離であり、たとえば、１ｋｍや１０ｋｍなどの距離に設定する。また、所定距離は、設定後もユーザが入力デバイス８１１を操作することによって、任意に変更することができる。【０１５７】
そして、ステップＳ１３０３における算出結果が所定距離以下であった場合（ステップＳ１３０４：Ｙｅｓ）は、ユーザに報知して（ステップＳ１３０５）、一連の処理を終了する。なお、ステップＳ１３０３における算出結果が所定距離以下ではなかった場合（ステップＳ１３０４：Ｎｏ）は、ステップＳ１３０３に戻り、処理を繰り返す。【０１５８】
上述した実施例４によれば、ユーザの現在地点またはユーザによって任意に指定した地点と、受信した地点情報１０００によって特定される地点までの距離を算出し、この算出結果が所定距離以下であった場合は、ユーザに報知することができる。
【実施例５】
【０１５９】
この実施例５にかかるナビゲーション装置８００は、実施例１で示したハードウェア構成を用いて、地点情報１０００をユーザに報知する。なお、実施例５にかかる映像表示装置７００およびナビゲーション装置８００のハードウェア構成（図７，８参照）は、上述した実施例１と同様であるため、その説明を省略する。【０１６０】
以下、上述した実施例１〜４において説明した判断結果に基づいて、ユーザに報知するときの報知内容について詳細に説明する。まず、ナビゲーション装置８００のディスプレイ８１３に地図データが表示されているときに、地点情報１０００がこの地図データ上に表示可能となった場合について説明する。【０１６１】
具体的には、ナビゲーション装置８００が搭載された車両などの移動体の現在位置情報に基づいて、ディスプレイ８１３に表示された地図データ上に、受信した地点情報１０００が表示可能となった場合は、地点情報１０００を表示する。または、ディスプレイ８１３に表示された地図データの縮尺を変更したり、カーソルを移動させることによって表示位置を変更しているときに、受信した地点情報１０００が表示可能となった場合は、地点情報１０００を表示する。【０１６２】
ここで、図１４−１は、地図データが表示されたディスプレイを示す説明図（その１）である。図１４−１において、ディスプレイ８１３には、地図データ１４００が表示されている。また、符号１４０１は、ナビゲーション装置８００が搭載された車両の現在地点を示している。地図データ１４００は、符号１４０１で示す車両の現在地点情報に基づいて、表示位置が特定されている。【０１６３】
そして、図１４−１に示すように、車両が移動中に地点情報１０００によって特定されるラーメン店がディスプレイ８１３に表示されている地図データ１４００上に表示可能となった場合、スピーカ８１０から所定の効果音を出力するとともに、地点情報１０００によって特定されるラーメン店の所在地点にアイコン１４０２を表示してユーザに報知する。このとき、ディスプレイ８１３の所定の位置に、詳細表示ボタン１４０３をさらに表示する。所定の効果音は、たとえば、「ピンポーン」という擬音であってもよいし、「新しい情報が表示されました。」などの案内音声であってもよい。【０１６４】
そして、ユーザは、スピーカ８１０から出力された効果音を聞く、または、ディスプレイ８１３に表示されたアイコン１４０２を視認することによって、現在地点の近傍に何らかの情報が表示されていることに気づくことができる。また、その情報に関する詳細な説明が知りたい場合は、地点情報１０００を詳細表示することができる。たとえば、ユーザがディスプレイ８１３に表示されている詳細表示ボタン１４０３に触れることによって、ディスプレイ８１３に地点情報１０００が詳細表示される。【０１６５】
図１４−２は、地図データが表示されたディスプレイを示す説明図（その２）である。ユーザがディスプレイ８１３に表示されている詳細表示ボタン１４０３に触れた場合、地点情報１０００が詳細表示される。図１４−２において、ディスプレイ８１３の片側半分には、地図データ１４００が表示されており、もう一方の片側半分には、地点情報１０００が詳細表示されている。【０１６６】
詳細表示されている地点情報１０００には、上述したように、情報番組が放送された日付、番組名、店舗名、住所、電話番号などが含まれている。これにより、ユーザは、現在地点近傍に地点情報１０００によって特定されるラーメン店が位置していることを知ることができる。さらに、ユーザは、この詳細表示された地点情報１０００の内容を確認することによって、忘れていた、または、忘れかけていた地点情報１０００によって特定されるラーメン店の情報を思い出すことができる。【０１６７】
また、詳細表示された地点情報１０００には、イメージアイコン１４０４がさらに表示されており、たとえば、ユーザがこのイメージアイコン１４０４に触れることによって、映像データ９０３をディスプレイ８１３に表示させることができる。映像データ９０３は、ユーザがきかっけボタン９０２を押下したときに、映像表示装置７００のディスプレイ７１３に映像出力されていたものである（図９参照）。【０１６８】
図１４−３は、地図データが表示されたディスプレイを示す説明図（その３）である。ユーザがディスプレイ８１３に表示されているイメージアイコン１４０４に触れた場合、映像データ９０３が表示される。図１４−３において、ディスプレイ８１３の片側半分には、地図データ１４００が表示されており、もう一方の方側半分には、映像データ９０３が表示されている。ユーザは、この映像データ９０３の内容を確認することによって、忘れていた、または、忘れかけていた地点情報１０００によって特定されるラーメン店の情報をより鮮明に思い出すことができる。【０１６９】
なお、ディスプレイ８１３に表示される地点情報が複数ある場合に、詳細表示ボタン１４０３を操作したときは、地点情報がリスト化されて表示される構成としてもよい。具体的には、たとえば、店舗名のみがリスト化されて表示される構成としてもよい。そして、そのリスト化された店舗名の中から、ユーザが詳細表示させたい店舗名を選択することによって、その店舗の情報がディスプレイ８１３に詳細表示される。【０１７０】
また、アイコン１４０２によって表示されているラーメン店の所在地点を目的地点として設定することもできる。この場合、ＣＰＵ８０１は、ルート探索プログラムを実行し、現在地点からアイコン１４０２によって表示されているラーメン店の所在地点までの最適なルートを探索する。【０１７１】
そして、探索されたルートなどに基づいて、ＣＰＵ８０１は、ルート誘導プログラムを実行し、リアルタイムなルート誘導情報を生成する。そして、生成されたルート誘導情報は、ＣＰＵ８０１を介して音声Ｉ／Ｆ８０８や映像Ｉ／Ｆ８１４へ出力される。なお、目的地点の設定は、リスト化された複数の地点情報の中から選択することによっておこなってもよい。【０１７２】
つぎに、ナビゲーション装置８００において、ルート探索をおこなったときの探索結果のルート上またはその近傍に地点情報が表示可能となった場合について説明する。図１５は、地図データ上に探索結果が表示されたディスプレイを示す説明図である。図１５に示すように、ディスプレイ８１３には、地図データ１５００が表示されており、この地図データ１５００上には、現在地点１５０１から目的地点１５０２までのルート１５０３〜１５０５が表示されている。【０１７３】
そして、これらのルート１５０３〜１５０５のルート上またはその近傍に、地点情報１０００によって特定されるラーメン店が位置している場合は、スピーカ８１０から所定の効果音を出力させるとともに、地点情報１０００によって特定されるラーメン店が位置している地点にアイコン１５０６を表示してユーザに報知する。所定の効果音は、たとえば、「ピンポーン」という擬音であってもよいし、「探索されたルート近傍に新しい情報が表示されました。」などの案内音声であってもよい。【０１７４】
なお、ルート１５０３〜１５０５のルート上またはその近傍に、地点情報によって特定される地点が複数個、位置している場合は、すべての地点にアイコン１５０６を表示して、ユーザに報知することとしてもよいし、探索されたルート上からもっとも近いものから順に、所定の個数、たとえば、３つの地点にアイコン１５０６を表示することとしてもよい。【０１７５】
また、ユーザがディスプレイ８１３に表示されている詳細表示ボタン１５０７に触れることによって、ディスプレイ８１３に地点情報１０００を詳細表示することができる。地点情報１０００を詳細表示するときの説明は、図１４−２，１４−３と同様のため説明を省略する。【０１７６】
このように、ユーザがナビゲーション装置８００を用いて、目的地点１５０２までのルート探索をおこなったときに、探索されたルート上またはその近傍に地点情報１０００によって特定される地点が位置している場合は、地図データ１５００上にアイコン１５０６を表示してユーザに報知することができる。【０１７７】
また、詳細表示された地点情報１０００の内容をユーザが確認することによって、忘れていた、または、忘れかけていた地点情報１０００によって特定される地点の情報を思い出すことができる。さらに、ユーザが実際に操作入力をおこなったときの映像データ９０３を確認することによって、忘れていた、または、忘れかけていた地点情報１０００によって特定される地点の情報をより鮮明に思い出すことができる。【０１７８】
また、ユーザが目的地点１５０２までのルート上またはその近傍に地点情報１０００によって特定される地点が位置していることを事前に知ることができる。このため、地点情報１０００を目的地点１５０２に到着するまでの間に立ち寄る、寄り道地点として参考にすることができ、寄り道計画を立てる場合などに役立てることができる。【０１７９】
つづいて、特定地点と地点情報によって特定される地点との距離算出をおこなったときの算出結果が所定距離以下となった場合について説明する。たとえば、ユーザがナビゲーション装置８００を搭載した携帯型電話機を携帯して移動中に、現在地点と地点情報によって特定される地点との距離が所定距離以下となった場合、携帯型電話機本体を振動させることによって、ユーザに報知する。【０１８０】
図１６は、電話機本体を振動させてユーザに報知するときの概要を示す説明図である。図１６に示すように、ユーザが携帯型電話機１６００を携帯して移動中に、現在地点と地点情報によって特定される地点との距離が所定距離以下、たとえば、５００ｍ以下となった場合、携帯型電話機１６００本体を振動させて、ユーザに報知する。【０１８１】
ユーザが携帯型電話機１６００本体が振動していることに気がついた場合、ユーザは、携帯型電話機１６００のディスプレイ８１３に表示された内容を視認する。このとき、ディスプレイ８１３には、地点情報１０００が詳細表示されている。これにより、ユーザは、現在地点近傍に地点情報１０００によって特定されるラーメン店が位置していることを知ることができる。さらに、ユーザは、この詳細表示された地点情報１０００の内容を確認することによって、忘れていた、または、忘れかけていた地点情報１０００によって特定されるラーメン店の情報を思い出すことができる。【０１８２】
また、詳細表示された地点情報１０００には、イメージアイコン１４０４がさらに表示されており、たとえば、ユーザが携帯型電話機１６００の操作ボタンを操作してイメージアイコン１４０４を選択することによって、映像データ９０３をディスプレイ８１３に表示させることができる。【０１８３】
映像データ９０３は、ユーザがきかっけボタン９０２を押下したときに、映像表示装置７００のディスプレイ７１３に映像出力されていたものである（図９参照）。そして、ユーザは、この映像データ９０３の内容を確認することによって、忘れていた、または、忘れかけていた地点情報１０００によって特定されるラーメン店の情報をより鮮明に思い出すことができる。【０１８４】
なお、ユーザがディスプレイ８１３に表示された地点情報１０００によって特定されるラーメン店まで行こうとした場合は、詳細表示された地点情報１０００の住所や電話番号を頼りに行くことができる。また、携帯型電話機１６００のディスプレイ８１３に地図データが表示可能であれば、ラーメン店の所在地点を地図データ上に表示してもよい。【０１８５】
上述した実施例５によれば、ナビゲーション装置８００が実行中の処理に応じて、ユーザが意図することなく、自動的に地点情報１０００をユーザに報知することができる。さらに、ユーザは、報知された地点情報１０００の内容を確認することによって、忘れていた、または、忘れかけていた地点情報１０００によって特定される地点の情報を思い出すことができる。また、ユーザが実際に操作入力をおこなったときの映像データ９０３を確認することによって、忘れていた、または、忘れかけていた地点情報１０００によって特定される地点の情報をより鮮明に思い出すことができる。【０１８６】
また、地点情報１０００に店舗や施設などの営業時間が付加されている場合は、この営業時間を加味して、ユーザに報知するようにしてもよい。これにより、たとえば、ラーメン店の情報が報知されたときに、実際にユーザがそのラーメン店に行ったにもかかわらず、営業時間外であったため、結局、食べたいと思っていたラーメンを食べることができないなどの問題を解消することができ、より有効に地点情報１０００を活用することができる。
【実施例６】
【０１８７】
以下に、上述した実施の形態にかかる映像処理装置２００および地点情報検索装置４００の実施例６について説明する。この実施例６は、上述した映像処理装置２００を、自宅のテレビなどの据え置き型の映像表示装置７００に、地点情報検索装置４００を、インターネットなどの通信ネットワークを通じて、情報の送受信をおこなう検索サーバ１７００に適用した例である。【０１８８】
この実施例６にかかる検索サーバ１７００は、映像表示装置７００から送信された地点情報を記録し、検索サーバ１７００にアクセス可能な通信端末からの検索要求に応じた地点情報を、記録した地点情報の中から検索する。なお、映像表示装置７００のハードウェア構成（図７参照）は、上述した実施例１と同様であるため、その説明を省略する。【０１８９】
（検索サーバのハードウェア構成）
まず、この発明の実施例６にかかる検索サーバ１７００のハードウェア構成について説明する。図１７は、この発明の実施例６にかかる検索サーバのハードウェア構成を示すブロック図である。図１７において、検索サーバ１７００は、ＣＰＵ１７０１と、ＲＯＭ１７０２と、ＲＡＭ１７０３と、磁気ディスクドライブ１７０４と、磁気ディスク１７０５と、光ディスクドライブ１７０６と、光ディスク１７０７と、通信Ｉ／Ｆ１７０８と、を備えている。また、各構成部１７０１〜１７０８は、バス１７０９によってそれぞれ接続されている。【０１９０】
ＣＰＵ１７０１は、検索サーバ１７００全体の制御を司る。ＲＯＭ１７０２は、ブートプログラムや地点情報検索プログラムなどのプログラムを記録している。なお、地点情報検索プログラムについての詳細な説明は後述する。ＲＡＭ１７０３は、ＣＰＵ１７０１のワークエリアとして使用される。すなわち、ＣＰＵ１７０１は、ＲＡＭ１７０３をワークエリアとして使用しながら、ＲＯＭ１７０２に記録された各種プログラムを実行することによって、検索サーバ１７００全体の制御を司る。【０１９１】
また、磁気ディスクドライブ１７０４は、ＣＰＵ１７０１の制御にしたがって磁気ディスク１７０５に対するデータのリード／ライトを制御する。磁気ディスク１７０５は、磁気ディスクドライブ１７０４の制御で書き込まれたデータを記録する。磁気ディスク１７０５としては、たとえば、ＨＤ（ハードディスク）を用いることができる。【０１９２】
磁気ディスク１７０５には、上述した実施の形態において説明した地点情報が記録されている。ここで、地点情報とは、映像表示装置７００から転送された情報であり、デジタル放送波の映像データに付随した情報である。映像表示装置７００の映像出力中に、ユーザがリモコンなどを用いて操作入力をおこなったときの映像データに付随した地点情報である。また、ユーザが操作入力をおこなったときに映像出力中の映像データと、その映像データに付随した地点情報と、を関連づけて磁気ディスク１７０５に記録することができる。【０１９３】
磁気ディスク１７０５には、地点情報を種々のカテゴリーごとにリスト化して編集可能な状態で記録されていてもよい。すなわち、同じ属性をあらわす地点情報を、同じカテゴリーにリスト化させて記録することができる。たとえば、飲食店に関する地点情報ごとにリスト化したり、遊園地に関する地点情報ごとにリスト化したりすることができる。【０１９４】
また、光ディスクドライブ１７０６は、ＣＰＵ１７０１の制御にしたがって光ディスク１７０７に対するデータのリード／ライトを制御する。光ディスク１７０７は、光ディスクドライブ１７０６の制御にしたがってデータの読み出される着脱自在な記録媒体である。光ディスク１７０７は、書き込み可能な記録媒体を利用することもできる。また、この着脱可能な記録媒体として、光ディスク１７０７のほか、ＭＯ、メモリカードなどであってもよい。【０１９５】
また、通信Ｉ／Ｆ１７０８は、無線、あるいは通信ケーブルを介してネットワークに接続され、このネットワークとＣＰＵ８０１とのインターフェースとして機能する。具体的には、たとえば、ネットワークに接続された映像表示装置７００、ナビゲーション装置８００およびナビゲーション装置８００と同様の機能を有した他のナビゲーション装置と、ＣＰＵ１７０１とのインターフェースとして機能する。ネットワークには、ＬＡＮ、ＷＡＮ、公衆回線網や携帯電話網などがある。【０１９６】
なお、図４に示した地点情報検索装置４００の地点情報受信部４０１、記憶部４０２、検索要求受信部４０３、抽出部４０４、送信部４０５は、図１７に示した検索サーバ１７００のＲＯＭ１７０２、ＲＡＭ１７０３、磁気ディスク１７０５、光ディスク１７０７などに記録されたプログラムをＣＰＵ１７０１が実行し、検索サーバ１７００における各部を制御することによってその機能を実現する。【０１９７】
ここで、ＲＯＭ１７０２に記録されている地点情報検索プログラムの具体的な処理内容について説明する。地点情報検索プログラムは、通信Ｉ／Ｆ１７０８を介して受信する検索サーバ１７００にアクセス可能な通信端末からの検索要求に応じた地点情報を検索する。検索サーバ１７００にアクセスする通信端末は、たとえばナビゲーション装置８００であったり、ナビゲーション装置８００と同様の機能を有した他のナビゲーション装置などである。【０１９８】
具体的には、たとえば、ナビゲーション装置８００以外の他のナビゲーション装置を使用するユーザが、検索サーバ１７００にラーメン店に関する地点情報の検索要求を送信する。このとき、検索サーバ１７００の磁気ディスク１７０５には、ナビゲーション装置８００を使用するユーザが、映像表示装置７００を操作することによって取得した地点情報が記録されている。【０１９９】
そして、検索サーバ１７００は、磁気ディスク１７０５に記録された地点情報の中から、ラーメン店に関する地点情報を検索する。磁気ディスク１７０５に記録された地点情報の中からラーメン店に関する地点情報を検索することができた場合は、検索した地点情報を通信Ｉ／Ｆ１７０８を介して、検索要求を送信してきた通信端末に送信する。【０２００】
また、通信端末から検索サーバ１７００にアクセスしたときに、検索サーバ１７００の磁気ディスク１７０５に記録されている地点情報を通信端末のディスプレイに表示させて、閲覧できるようにしてもよい。さらに、記録されている地点情報を任意に編集できるようにしてもよい。具体的には、たとえば、同じ属性をあらわす地点情報を、同じカテゴリーにリスト化させて分類して記録させたり、記録されている地点情報にさらに別の情報を書き込んだりすることができる。【０２０１】
上述したように、実施例６によれば、検索サーバ１７００は、映像表示装置７００から送信された地点情報を記録することができる。そして、検索サーバ１７００にアクセス可能な通信端末を使用するユーザからの検索要求を受け付けることができ、この検索要求に応じた地点情報を、検索要求を送信してきたユーザが使用する通信端末に転送することができる。【０２０２】
また、検索サーバ１７００にアクセス可能な通信端末を使用するユーザは、映像表示装置７００において、操作入力をおこなったユーザとは異なる、他のユーザであってもよい。このため、検索サーバ１７００に記録されている地点情報を複数のユーザによって共有することができ、記録されている地点情報をより有効に利用することができる。【０２０３】
なお、検索サーバ１７００から地点情報を受信した通信端末は、実施例１〜５で説明した処理と同様の処理をおこない、同様の効果を得る。【０２０４】
以上説明したように、上述した実施例１〜６によれば、放送番組などの映像出力中の任意のタイミングで、ユーザが簡単な操作入力をおこなうことによって、操作入力をおこなったときに映像出力中の映像データに付随した地点情報を取得することができる。【０２０５】
このため、たとえば、ユーザが放送番組を視聴中に、行ってみたい、食べてみたいなど興味を示した映像が流れた場合、番組を録画したり、番組の情報をメモに書き留めたりする面倒な作業をおこなうことなく、簡単な操作入力により、その映像内容によって特定される店舗やビルディングなどの地点情報を取得することができる。【０２０６】
また、このときユーザがおこなう操作入力は、リモコンの操作ボタンを押下するなどの簡単な操作であるため、直感的、瞬間的におこなうことができ、興味を示した映像の情報を、漏らすことなく取得することができる。【０２０７】
また、ユーザが放送番組を視聴中に取得した情報は、ユーザが意図することなく自動的に、ユーザが使用するナビゲーション装置や携帯型電話機などの通信端末に送信される。そして、送信された地点情報は、通信端末において、地図データ表示処理やルート探索処理などの所定の処理に利用することができる。さらに、通信端末の実行中の処理に地点情報が利用可能となった場合、表示画面上に地点情報を表示したり、地点情報に関するアナウンスを音声出力することによって、自動的にユーザにその地点情報を報知することができる。【０２０８】
そして、ユーザは、報知された地点情報を確認することによって、たとえば、ユーザの現在地点近傍に、以前に興味を示した店舗やビルディングなどが位置していることを知ることができる。さらに、詳細表示された地点情報や、ユーザが操作入力をおこなったときの店舗やビルディングなどの映像を確認することによって、より鮮明に地点情報を取得したときの状況を思い出すことができる。【０２０９】
また、このとき報知される地点情報は、以前に、ユーザが何らかの興味を示したことによって取得した情報であるため、ユーザに対して、情報内容に説得力がある。このため、実際に報知された店舗などに行ってみようという気持ちを喚起させる可能性が高く、ユーザにとって有効な情報であるといえる。さらに、取得した地点情報を参考にして寄り道をするなど、ユーザが立てる行き先計画にも有効に役立てることができる。【０２１０】
このように、ユーザが放送番組などを視聴中に取得した地点情報は、ユーザが意図することなくユーザが使用する通信端末に送信され、維持することがでる。そして、ユーザが地点情報を必要とする状況に遭遇した場合に、その地点情報を自動的にユーザに報知されるため、取得した地点情報を有効かつ実用的に利用することができる。【０２１１】
このため、ユーザは、忘れていた、または、忘れかけていた情報を、その情報を利用することができる状況に遭遇したときに、自動的に知ることができ、以前に興味を示したスポットに行く機会を逃すことがない。【０２１２】
また、取得した地点情報を、インターネットなどの通信ネットワークを通じて、情報の送受信をおこなう検索サーバに格納することができる。さらに、格納された地点情報は、この検索サーバにアクセス可能な複数のユーザによって、自由に閲覧、編集可能とすることができる。このように、取得した地点情報を複数のユーザが共有することができ、地点情報をより有効に利用することができる。【０２１３】
なお、店舗のホームページやＣＭなどの地点情報には、たとえば、商品３０％ＯＦＦクーポンなどを付加情報として含めることもできる。ユーザは、店舗に行ったときに、この付加情報を店員に見せることによって商品を３０％ＯＦＦで購入することができる。このように、地点情報に種々のサービス情報などを含めることによって、ユーザの購買意欲の向上を図ることができ、広告手段として地点情報を有効に利用することができる。【０２１４】
なお、本実施の形態で説明した映像処理方法、地点情報報知方法および地点情報検索方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図１】
2007099815.tif 000003
【図２】
2007099815.tif 000004
【図３】
2007099815.tif 000005
【図４】
2007099815.tif 000006
【図５】
2007099815.tif 000007
【図６】
2007099815.tif 000008
【図７】
2007099815.tif 000009
【図８】
2007099815.tif 000010
【図９】
2007099815.tif 000011
【図１０】
2007099815.tif 000012
【図１１】
2007099815.tif 000013
【図１２】
2007099815.tif 000014
【図１３】
2007099815.tif 000015
【図１４−１】
2007099815.tif 000016
【図１４−２】
2007099815.tif 000017
【図１４−３】
2007099815.tif 000018
【図１５】
2007099815.tif 000019
【図１６】
2007099815.tif 000020
【図１７】
2007099815.tif 000021
【手続補正書】
【提出日】平成20年11月18日(2008.11.18)
【手続補正１】
【補正対象書類名】特許請求の範囲
【補正対象項目名】全文
【補正方法】変更
【補正の内容】
【特許請求の範囲】
【請求項１】
一連の映像データの表示手段での映像表示中に、ユーザの操作入力を受け付ける受付手段と、
前記受付手段によって操作入力が受け付けられたときに前記表示手段に表示されている映像の映像データから、当該映像データに含まれている地物に関して抽出された地点情報を抽出する抽出手段と、
前記抽出手段によって抽出された地物に関する地点情報を、前記ユーザの通信端末に送信する送信手段と、
を備えることを特徴とする映像処理装置。
【請求項２】
前記送信手段は、
さらに、前記受付手段によって操作入力が受け付けられたときに前記表示手段に表示されている映像の映像データを、前記ユーザの通信端末に送信することを特徴とする請求項１に記載の映像処理装置。
【請求項３】
映像内容によって特定される地物に関する地点情報を含む一連の映像データの映像出力中に、ユーザの操作入力を受け付ける受付手段と、
前記受付手段によって操作入力が受け付けられたときの映像データから、当該映像データに含まれている地物に関する地点情報を抽出する抽出手段と、
前記抽出手段によって抽出された地物に関する地点情報を、前記ユーザ以外の他のユーザの通信端末から前記地物に関する検索要求を受け付ける地点情報検索装置に送信する送信手段と、
を備えることを特徴とする映像処理装置。
【請求項４】
前記送信手段は、
さらに、前記受付手段によって操作入力が受け付けられたときの映像データを、前記地点情報検索装置に送信することを特徴とする請求項３に記載の映像処理装置。
【請求項５】
一連の映像データを表示手段で映像表示する映像処理装置から、当該映像処理装置の前記表示手段での映像表示中にユーザの操作入力が受け付けられたときに前記表示手段に表示されている映像の映像データから、当該映像データに含まれている地物（以下「指定地物」という）に関して抽出された地点情報を受信する受信手段と、
所定の処理を実行する実行手段と、
前記実行手段による現在実行中の処理の内容に基づいて、前記受信手段によって受信された指定地物に関する地点情報が、前記処理に利用可能か否かを判断する判断手段と、
前記判断手段によって判断された判断結果に基づいて、前記ユーザに報知する報知手段と、
を備えることを特徴とする通信端末。
【請求項６】
前記判断手段は、
端末本体によって特定された特定地点に関する地点情報（以下「特定地点情報」という）と前記指定地物に関する地点情報とに基づいて、前記指定地物に関する地点情報が、前記処理に利用可能か否かを判断することを特徴とする請求項５に記載の通信端末。
【請求項７】
前記特定地点情報は、前記端末本体の現在地点情報であることを特徴とする請求項６に記載の通信端末。
【請求項８】
前記特定地点情報は、前記ユーザによって指定された任意の地点情報であることを特徴とする請求項６に記載の通信端末。
【請求項９】
前記実行手段は、
前記端末本体の表示画面に地図データを表示する地図データ表示処理を実行し、
前記判断手段は、
前記実行手段による地図データ表示処理により前記表示画面上に前記特定地点情報が表示されている場合、前記指定地物に関する地点情報が、前記表示画面上に表示可能か否かを判断することを特徴とする請求項６に記載の通信端末。
【請求項１０】
前記実行手段は、
任意の目的地点までのルートを探索するルート探索処理を実行し、
前記判断手段は、
前記実行手段による前記ルート探索処理によって探索されたルート上またはその近傍に、前記指定地物が位置するか否かを判断することを特徴とする請求項６に記載の通信端末。
【請求項１１】
前記実行手段は、
前記特定地点と前記指定地物との距離を算出する距離算出処理を実行し、
前記判断手段は、
前記実行手段による前記距離算出処理によって算出された距離が所定距離以下であるか否かを判断することを特徴とする請求項６に記載の通信端末。
【請求項１２】
前記報知手段は、
前記判断手段によって前記指定地物に関する地点情報が、前記処理に利用可能であると判断された場合、前記指定地物に関する地点情報を前記端末本体の表示画面上に表示することを特徴とする請求項５に記載の通信端末。
【請求項１３】
前記報知手段は、
前記判断手段によって前記指定地物に関する地点情報が、前記処理に利用可能であると判断された場合、前記指定地物に関する地点情報または当該地点情報に関する報知音を音声出力することを特徴とする請求項５に記載の通信端末。
【請求項１４】
前記報知手段は、
前記判断手段によって前記指定地物に関する地点情報が、前記処理に利用可能であると判断された場合、前記端末本体を振動させることを特徴とする請求項５に記載の通信端末。
【請求項１５】
前記受信手段は、
さらに、前記映像処理装置からユーザの操作入力が受け付けられたときに前記表示手段に表示されている映像の映像データ（以下「指定映像データ」という）を受信し、
前記報知手段は、
前記判断手段によって前記指定地物に関する地点情報が、前記処理に利用可能であると判断された場合、前記受信手段によって受信された指定映像データを前記端末本体の表示画面上に表示することを特徴とする請求項５に記載の通信端末。
【請求項１６】
前記通信端末は、
前記ユーザの移動体通信端末であることを特徴とする請求項５に記載の通信端末。
【請求項１７】
前記移動体通信端末は、
前記ユーザのカーナビゲーション装置であることを特徴とする請求項１６に記載の通信端末。
【請求項１８】
前記移動体通信端末は、
前記ユーザの携帯電話機であることを特徴とする請求項１６に記載の通信端末。
【請求項１９】
映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」という）に関する地点情報を受信する地点情報受信手段と、
前記地点情報受信手段によって受信された地点情報を記憶する記憶手段と、
前記ユーザ以外の他のユーザの通信端末から前記地物に関する検索要求を受信する検索要求受信手段と、
前記検索要求受信手段によって受信された検索要求に応じた地点情報を、前記記憶手段に記憶された地点情報の中から抽出する抽出手段と、
前記抽出手段によって抽出された地点情報を、前記検索要求を送信した前記他のユーザの通信端末に送信する送信手段と、
を備えることを特徴とする地点情報検索装置。
【請求項２０】
前記検索要求には、前記他のユーザの通信端末によって特定された特定地点に関する地点情報（以下「特定地点情報」という）が含まれており、
前記抽出手段は、
前記特定地点情報に応じた地点情報を、前記記憶手段に記憶された地点情報の中から抽出することを特徴とする請求項１９に記載の地点情報検索装置。
【請求項２１】
一連の映像データの表示手段での映像表示中に、ユーザの操作入力を受け付ける受付工程と、
前記受付工程によって操作入力が受け付けられたときに前記表示手段に表示されている映像の映像データから、当該映像データに含まれている地物に関して抽出された地点情報を抽出する抽出工程と、
前記抽出工程によって抽出された地物に関する地点情報を、前記ユーザの通信端末に送信する送信工程と、
を含んだことを特徴とする映像処理方法。
【請求項２２】
一連の映像データを表示手段で映像表示する映像処理装置から、当該映像処理装置の前記表示手段での映像表示中にユーザの操作入力が受け付けられたときに前記表示手段に表示されている映像の映像データから、当該映像データに含まれている地物（以下「指定地物」という）に関して抽出された地点情報を受信する受信工程と、
端末本体による現在実行中の処理の内容に基づいて、前記受信工程によって受信された指定地物に関する地点情報が、前記処理に利用可能か否かを判断する判断工程と、
前記判断工程によって判断された判断結果に基づいて、前記ユーザに報知する報知工程と、
を含んだことを特徴とする地点情報報知方法。
【請求項２３】
映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」という）に関する地点情報を受信する地点情報受信工程と、
前記地点情報受信工程によって受信された地点情報を記憶する記憶工程と、
前記ユーザ以外の他のユーザの通信端末から前記地物に関する検索要求を受信する検索要求受信工程と、
前記検索要求受信工程によって受信された検索要求に応じた地点情報を、前記記憶工程によって記憶された地点情報の中から抽出する抽出工程と、
前記抽出工程によって抽出された地点情報を、前記検索要求を送信した前記他のユーザの通信端末に送信する送信工程と、
を備えることを特徴とする地点情報検索方法。
【請求項２４】
請求項２１に記載の映像処理方法をコンピュータに実行させることを特徴とする映像処理プログラム。
【請求項２５】
請求項２２に記載の地点情報報知方法をコンピュータに実行させることを特徴とする地点情報報知プログラム。
【請求項２６】
請求項２３に記載の地点情報検索方法をコンピュータに実行させることを特徴とする地点情報検索プログラム。
【請求項２７】
請求項２４〜２６のいずれか一つに記載のプログラムを記録したことを特徴とするコンピュータに読み取り可能な記録媒体。
【手続補正２】
【補正対象書類名】明細書
【補正対象項目名】全文
【補正方法】変更
【補正の内容】
【発明の詳細な説明】
【技術分野】
【０００１】
この発明は、映像処理装置、通信端末、地点情報検索装置、映像処理方法、地点情報報知方法、地点情報検索方法、映像処理プログラム、地点情報報知プログラム、地点情報検索プログラムおよびコンピュータに読み取り可能な記録媒体に関する。ただし、この発明の利用は、上述した映像処理装置、通信端末、地点情報検索装置、映像処理方法、地点情報報知方法、地点情報検索方法、映像処理プログラム、地点情報報知プログラム、地点情報検索プログラムおよびコンピュータに読み取り可能な記録媒体には限られない。
【背景技術】
【０００２】
従来、ユーザが所望するキーワードを優先順位メモリに登録しておき、受信したデジタル放送中から上記キーワードが含まれている電子データを取得し、取得した電子データ中に含まれている位置情報から別システムで利用可能な形態の第２の位置情報を求めて、これを電子データとともに受信データメモリに記憶することにより、ユーザが取得希望の電子データに関連する任意のキーワードを入力しておくだけで、そのような電子データをデジタル放送中から自動的に入手することができるようにするとともに、第２の位置情報とともに受信データメモリに記憶された情報データを別システムで有効に活用することができるようにする装置が提供されている（たとえば、下記特許文献１参照。）。
【０００３】
【特許文献１】特開２００３−２１８７１８号公報
【発明の開示】
【発明が解決しようとする課題】
【０００４】
しかしながら、上述した特許文献１による従来技術では、事前に登録したキーワードに合致する情報しか取得することができないため、視聴中に、たとえば、観光地や行楽地などユーザの興味を示すスポットが放送されたとき、登録されたキーワードに合致していなければ、そのスポットに関する情報を取得することができない。
【０００５】
また、視聴中に、ユーザが興味を示したスポットに合致するキーワードをあらたに登録することによって、このスポットに関する情報を取得することができるが、入力操作が面倒である。
【０００６】
さらに、ユーザがキーワードの登録をおこなっているときや、瞬時に登録するキーワードが思いつかないときにも、放送は継続しておこなわれているため、スポットの放送が終了してしまい、そのスポットに関する情報を取得することができない場合がある。また、合致するキーワードが存在しない場合も、そのスポットに関する情報を取得することができない。
【０００７】
このように、ユーザが興味を示したスポットに関する情報を取得することができなかった場合は、結果的に、ユーザは、このスポットに行く機会を逸してしまうという問題が一例として挙げられる。
【０００８】
また、ユーザが興味を示したスポットの放送を録画する場合には、録画操作をおこなっている間も、この放送は継続して放送されているため、スポットの放送が終了してしまったり、途中からの録画となってしまうなど、すべて録画することができず、情報が欠落してしまう場合がある。
【０００９】
また、このスポットに関する情報をユーザがメモに書き留めるとしても、放送中の情報をすべて書き留めることは困難であり、情報が欠落してしまう場合がある。
【００１０】
さらに、ユーザがこのスポットに関する情報を記憶するとしても、すべての情報を記憶しておくことは困難であり、上記同様に情報が欠落してしまう場合がある。
【００１１】
また、欠落した部分の情報を補うためには、ユーザが自らそのスポットに関する情報を調べる必要があり、多くの手間と時間がかかってしまう。このため、興味を示したスポットに関する情報を調べている間に、このスポットに関する興味を失ってしまうことがあり、依然として、ユーザは、興味を示したスポットに行く機会を逸することとなるという問題が一例として挙げられる。
【００１２】
また、たとえば、ユーザが放送中に興味を示したスポットに関する情報をすべて書き留めることができたとしても、実際にそのスポットに行くためのルートをユーザ自身が調べたり、行く日時を決めるなどの計画を立てる労力がかかる。このため、このスポットに関するユーザの興味を失ってしまうことがあり、上記同様、このスポットに行く機会を逸してしまうという問題が一例として挙げられる。
【００１３】
また、たとえば、メモに書き留めたスポットの所在地などの情報を、ユーザが操作入力することによって、ナビゲーション装置の地図データ上にプロットすることもできるが、ユーザにとって操作入力が面倒であり、実用的ではないという問題が一例として挙げられる。
【課題を解決するための手段】
【００１４】
上述した課題を解決し、目的を達成するため、請求項１の発明にかかる映像処理装置は、映像内容によって特定される地物に関する地点情報を含む一連の映像データの表示手段での映像表示中に、ユーザの操作入力を受け付ける受付手段と、前記受付手段によって操作入力が受け付けられたときに前記表示手段に表示されている映像の映像データから、当該映像データに含まれている地物に関して抽出された地点情報を抽出する抽出手段と、前記抽出手段によって抽出された地物に関する地点情報を、前記ユーザの通信端末に送信する送信手段と、を備えることを特徴とする。
【００１５】
また、請求項３の発明にかかる映像処理装置は、映像内容によって特定される地物に関する地点情報を含む一連の映像データの映像出力中に、ユーザの操作入力を受け付ける受付手段と、前記受付手段によって操作入力が受け付けられたときの映像データから、当該映像データに含まれている地物に関する地点情報を抽出する抽出手段と、前記抽出手段によって抽出された地物に関する地点情報を、前記ユーザ以外の他のユーザの通信端末から前記地物に関する検索要求を受け付ける検索サーバに送信する送信手段と、を備えることを特徴とする。
【００１６】
また、請求項５の発明にかかる通信端末は、一連の映像データを表示手段で映像表示する映像処理装置から、当該映像処理装置の前記表示手段での映像表示中にユーザの操作入力が受け付けられたときに前記表示手段に表示されている映像の映像データから、当該映像データに含まれている地物（以下「指定地物」という）に関して抽出された地点情報を受信する受信手段と、所定の処理を実行する実行手段と、前記実行手段による現在実行中の処理の内容に基づいて、前記受信手段によって受信された指定地物に関する地点情報が、前記処理に利用可能か否かを判断する判断手段と、前記判断手段によって判断された判断結果に基づいて、前記ユーザに報知する報知手段と、を備えることを特徴とする。
【００１７】
また、請求項１９の発明にかかる地点情報検索装置は、映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」という）に関する地点情報を受信する地点情報受信手段と、前記地点情報受信手段によって受信された地点情報を記憶する記憶手段と、前記ユーザ以外の他のユーザの通信端末から前記地物に関する検索要求を受信する検索要求受信手段と、前記検索要求受信手段によって受信された検索要求に応じた地点情報を、前記記憶手段に記憶された地点情報の中から抽出する抽出手段と、前記抽出手段によって抽出された地点情報を、前記検索要求を送信した前記他のユーザの通信端末に送信する送信手段と、を備えることを特徴とする。
【００１８】
また、請求項２１の発明にかかる映像処理方法は、映像内容によって特定される地物に関する地点情報を含む一連の映像データの表示手段での映像表示中に、ユーザの操作入力を受け付ける受付工程と、前記受付工程によって操作入力が受け付けられたときに前記表示手段に表示されている映像の映像データから、当該映像データに含まれている地物に関する地点情報を抽出する抽出工程と、前記抽出工程によって抽出された地物に関する地点情報を、前記ユーザの通信端末に送信する送信工程と、を含んだことを特徴とする。
【００１９】
また、請求項２２の発明にかかる地点情報報知方法は、一連の映像データを表示手段で映像表示する映像処理装置から、当該映像処理装置の前記表示手段での映像表示中にユーザの操作入力が受け付けられたときに前記表示手段に表示されている映像の映像データから、当該映像データに含まれている地物（以下「指定地物」という）に関して抽出された地点情報を受信する受信工程と、端末本体による現在実行中の処理の内容に基づいて、前記受信工程によって受信された指定地物に関する地点情報が、前記処理に利用可能か否かを判断する判断工程と、前記判断工程によって判断された判断結果に基づいて、前記ユーザに報知する報知工程と、を含んだことを特徴とする。
【００２０】
また、請求項２３の発明にかかる地点情報検索方法は、映像内容によって特定される地物に関する地点情報を含む一連の映像データを映像出力する映像処理装置から、当該映像処理装置の映像出力中にユーザの操作入力が受け付けられたときの映像データに含まれる地物（以下「指定地物」という）に関する地点情報を受信する地点情報受信工程と、前記地点情報受信工程によって受信された地点情報を記憶する記憶工程と、前記ユーザ以外の他のユーザの通信端末から前記地物に関する検索要求を受信する検索要求受信工程と、前記検索要求受信工程によって受信された検索要求に応じた地点情報を、前記記憶工程によって記憶された地点情報の中から抽出する抽出工程と、前記抽出工程によって抽出された地点情報を、前記検索要求を送信した前記他のユーザの通信端末に送信する送信工程と、を備えることを特徴とする。
【００２１】
また、請求項２４の発明にかかる映像処理プログラムは、請求項２１に記載の映像処理方法をコンピュータに実行させることを特徴とする。
【００２２】
また、請求項２５の発明にかかる地点情報報知プログラムは、請求項２２に記載の地点情報報知方法をコンピュータに実行させることを特徴とする。
【００２３】
また、請求項２６の発明にかかる地点情報検索プログラムは、請求項２３に記載の地点情報検索方法をコンピュータに実行させることを特徴とする。
【００２４】
また、請求項２７の発明にかかるコンピュータに読み取り可能な記録媒体は、請求項２４〜２６のいずれか一つに記載のプログラムを記録したことを特徴とする。
【発明を実施するための最良の形態】
【００２５】
以下に添付図面を参照して、この発明にかかる映像処理装置、通信端末、地点情報検索装置、映像処理方法、地点情報報知方法、地点情報検索方法、映像処理プログラム、地点情報報知プログラム、地点情報検索プログラムおよびコンピュータに読み取り可能な記録媒体の好適な実施の形態を詳細に説明する。
【００２６】
（実施の形態）
（地点情報報知システムのシステム構成）
まず、この発明の実施の形態にかかる地点情報報知システムのシステム構成について説明する。図１は、この発明の実施の形態にかかる地点情報報知システムのシステム構成を示す説明図である。図１において、地点情報報知システム１００は、映像処理装置２００と、ＤＢサーバ２５０と、通信端末３００と、通信端末３５０と、地点情報検索装置４００と、によって構成されている。
【００２７】
映像処理装置２００は、デジタル放送波を受信して映像出力する。デジタル放送波は、地上の電波塔から送信するテレビ放送などの地上波をデジタル化したものである。デジタル放送波は、たとえば、地上デジタル放送、衛星デジタル放送、ケーブルテレビ放送などによって送信される。
【００２８】
また、デジタル放送波には、放送内容を特定する映像データおよび当該映像データに付随した地点情報が含まれている。ここで、地点情報とは、映像内容によって特定される地物の緯度・経度や所在、名称をあらわす情報である。また、地物とは、地上に存在する天然または人工の物体のことであり、平地、河川、湖沼、山、森林などの地形や、道路、鉄道など地表に敷設された交通網や、住居、店舗、ビルディング、工場などの施設が挙げられる。
【００２９】
したがって、たとえば、映像内容によって特定される地物が湖沼である場合には、当該湖沼の所在地または名称となる。また、道路の場合には、当該道路の名称（たとえば、国道○号線など）となる。また、店舗の場合には、当該店舗の住所や電話番号、名称となる。
【００３０】
そして、映像出力中の任意のタイミングでユーザが操作入力をおこなうことによって、映像処理装置２００は、その操作入力に伴う入力情報を受け付けて、そのときに映像出力されている映像データに付随した地点情報を通信端末３００または地点情報検索装置４００に転送する。
【００３１】
地点情報が通信端末３００に直接転送された場合は、地点情報は、地図データ表示処理や距離算出処理などの所定の処理に利用される。そして、通信端末３００において、転送された地点情報がこれらの処理に利用可能であれば、ユーザに当該地点情報を表示出力や音声出力などによって報知する。
【００３２】
また、通信端末３００は、映像処理装置２００から転送される地点情報を受信できない状況となっている場合がある。たとえば、通信端末３００の電源がＯＦＦ状態となっている場合が挙げられる。このとき、映像処理装置２００から転送された地点情報は、一時的にＤＢ（データベース）サーバ２５０に格納される。そして、通信端末３００の電源がＯＮ状態となったときに自動的に、または、ユーザの操作によって、ＤＢサーバ２５０から地点情報を受信する。
【００３３】
具体的には、たとえば、自宅でユーザが映像処理装置２００を用いて情報番組を視聴しているときに、評判のラーメン店Ａを紹介している映像データが表示されたとする。このとき、ユーザが映像処理装置２００のリモコンの特定ボタンを押下するなどの操作入力をおこなった場合、ラーメン店Ａを紹介している映像データに付随した地点情報がユーザが使用するカーナビゲーション装置などの通信端末３００に転送される。転送される地点情報は、ラーメン店Ａの住所、電話番号、店舗名など、そのラーメン店Ａの地点を特定するための情報である。
【００３４】
なお、ユーザが自宅にいる場合、カーナビゲーション装置などの通信端末３００の電源は、ＯＦＦ状態となっているなど、映像処理装置２００から転送された地点情報を受信できない場合がある。このとき、映像処理装置２００から転送された地点情報は、ＤＢサーバ２５０に一時的に格納される。そして、ユーザが外出するときなどに、車に搭載された通信端末３００の電源をＯＮ状態にした場合、ＤＢサーバ２５０から地点情報を自動的に受信する。
【００３５】
また、後日、ユーザが通信端末３００を搭載した車に乗車して外出中に、偶然、先日の情報番組で紹介されていたラーメン店Ａの近傍を通りかかった場合、通信端末３００は、そのラーメン店Ａの地点情報を表示画面上に表示する、または、音声出力することによってユーザに報知する。これにより、ユーザは、忘れていた、または忘れかけていた情報を、意図することなく知ることができる。
【００３６】
このように、映像処理装置２００は、映像出力中の任意のタイミングでユーザが操作入力をおこなったときの映像データに付随した地点情報を、ユーザの通信端末３００に転送することができる。また、通信端末３００に転送された地点情報が実行中の処理に利用可能であれば、地点情報をユーザに自動的に報知することができる。これにより、ユーザは、忘れていた、または忘れかけていた情報を、意図することなく、知ることができ、ユーザによって取得した地点情報を有効に利用することができる。
【００３７】
つぎに、地点情報が地点情報検索装置４００に転送された場合は、地点情報は、地点情報検索装置４００に格納される。そして、他のユーザが使用する通信端末３５０からの検索要求を受け付け、当該検索要求に応じた地点情報を、格納されている地点情報から検索する。このとき、通信端末３００からの検索要求を満たす地点情報を検索した場合は、その地点情報を通信端末３５０に転送する。
【００３８】
そして、地点情報検索装置４００から通信端末３５０に転送された地点情報は、映像処理装置２００から、通信端末３００に直接転送された場合と同様に、地図データ表示処理や距離算出処理などの処理に利用される。そして、これらの処理に利用可能であれば、通信端末３５０は、他のユーザに地点情報を報知する。
【００３９】
具体的には、たとえば、通信端末３００を使用するユーザが映像処理装置２００の操作入力をおこなうことによってラーメン店Ａの地点情報が地点情報検索装置４００に格納されているとする。このとき、通信端末３５０を使用する他のユーザが地点情報検索装置４００に飲食店に関する検索要求を送信した場合、飲食店に関するラーメン店Ａの地点情報が検索され、通信端末３５０に送信される。
【００４０】
そして、他のユーザが通信端末３５０を搭載した車に乗車して外出中に、このラーメン店Ａの近傍を通りかかった場合、通信端末３５０は、そのラーメン店Ａの地点情報を表示画面上に表示したり、音声出力したりして他のユーザに報知する。これにより、通信端末３５０を使用する他のユーザは、通信端末３００を使用するユーザが取得したラーメン店Ａの情報を知ることができる。
【００４１】
なお、通信端末３００から地点情報検索装置４００に転送された地点情報は、種々のカテゴリーごとにリスト化されて編集可能な状態で格納することもできる。この場合、通信端末３５０を使用する他のユーザは、地点情報検索装置４００にアクセスすることによって、リスト化された地点情報を閲覧することができ、このリストの中から所望の地点情報を選択して、地点情報を取得することができる。
【００４２】
具体的には、たとえば、ラーメン店Ａの地点情報が飲食店のカテゴリーにリスト化されている場合、他のユーザは、この飲食店のカテゴリーからラーメン店Ａを選択することによって、ラーメン店Ａの地点情報を取得することができる。
【００４３】
このように、地点情報検索装置４００にアクセス可能な通信端末３５０を使用するユーザであれば、地点情報検索装置４００に格納された地点情報を取得することができる。また、このように、通信端末３００を使用するユーザによって地点情報検索装置４００に格納された地点情報を、地点情報検索装置４００にアクセス可能な通信端末を使用する複数のユーザによって共有することができ、より有効に地点情報を利用することができる。
【００４４】
つぎに、地点情報報知システム１００を構成する映像処理装置２００、通信端末３００および地点情報検索装置４００について具体的に説明する。
【００４５】
（映像処理装置の機能的構成）
はじめに、この発明の実施の形態にかかる映像処理装置２００の機能的構成について説明する。図２は、この発明の実施の形態にかかる映像処理装置の機能的構成を示すブロック図である。図２において、映像処理装置２００は、デジタル放送受信部２０１と、受付部２０２と、抽出部２０３と、送信部２０４と、を備える。
【００４６】
デジタル放送受信部２０１は、上述したデジタル放送波を受信する。デジタル放送受信部２０１は、デジタル放送波を復調して映像データおよび地点情報を取り出す。取り出された映像データおよび地点情報は、映像処理装置２００内のバッファに保持されて映像出力してもよく、ハードディスクに格納してもよい。
【００４７】
受付部２０２は、映像内容によって特定される地物に関する地点情報を含む一連の映像データの映像出力中に、ユーザの操作入力を受け付ける。ここで、一連の映像データは、デジタル放送波として送信されてくるコンテンツのデータストリームである。コンテンツには、バラエティ、ドラマ、映画、アニメ、音楽、スポーツ、ニュース、情報番組などの各種放送番組や、放送番組間のＣＭも含まれる。
【００４８】
また、一連の映像データは、映像フレーム、映像ショット、映像シーン、映像クリップなど所定の映像単位で構造化されており、地点情報は、映像単位ごとに付随されている。たとえば、あるラーメン店を放映する映像ショット列の各映像ショットには、当該ラーメン店の地点情報が付随している。
【００４９】
一連の映像データは、ディスプレイに映像出力される。一連の映像データは、一連の映像データに関するコンテンツの放送中にディスプレイに映し出すことによって映像出力することとしてもよく、また、映像処理装置２００に録画したコンテンツまたはメディアに記録されたコンテンツの再生中にディスプレイに映し出すことによって映像出力することとしてもよい。
【００５０】
ここで、ユーザは、映像処理装置２００および通信端末３００の利用者であり、一連の映像データの映像出力中に操作入力をおこなう。ユーザの操作入力は、一連の映像データの映像出力中に、映像処理装置２００の操作パネルを直接、または映像処理装置２００のリモコンによりおこなう。たとえば、操作パネルまたはリモコンの特定のボタンを押下することにより操作入力をおこなう。
【００５１】
抽出部２０３は、受付部２０２によって操作入力が受け付けられたときの映像データから、当該映像データに含まれている地物に関する地点情報を抽出する。操作入力が受け付けられたときの映像データとは、映像処理装置２００の映像出力中の任意のタイミングでユーザが操作入力をおこなったときの映像データである。たとえば、操作入力をおこなったタイミングで映像出力されている映像データが、あるラーメン店Ａを特定する映像内容であった場合、この映像データに付随しているラーメン店Ａの地点情報を抽出する。
【００５２】
送信部２０４は、抽出部２０３によって抽出された地物に関する地点情報を、ユーザの通信端末３００に送信する。なお、通信端末３００が送信部２０４から送信される地点情報を受信できない状況の場合は、送信された地点情報は、ＤＢサーバ２５０に格納される。そして、通信端末３００が受信可能な状況になったときに、自動的に、または、ユーザの操作によってＤＢサーバ２５０から地点情報を受信する。
【００５３】
また、送信部２０４は、さらに、受付部２０２によって操作入力が受け付けられたときの映像データを、ユーザの通信端末３００に送信する構成としてもよい。ここで、ユーザの通信端末３００は、カーナビゲーション装置や携帯電話機などの移動体通信端末や、モバイルコンピュータなどの移動体情報端末であってもよく、また、デスクトップ型のパーソナルコンピュータなどの据え置き型のコンピュータ装置であってもよい。
【００５４】
さらに、送信部２０４は、抽出部２０３によって抽出された地物に関する地点情報を、ユーザの通信端末３００から地物に関する検索要求を受け付ける地点情報検索装置４００に送信する構成としてもよい。地物に関する検索要求は、ユーザが操作入力をおこなったときの映像データに含まれる地物に関する検索要求である。また、送信部２０４は、さらに、受付部２０２によって操作入力が受け付けられたときの映像データを、地点情報検索装置４００に送信する構成としてもよい。
【００５５】
これにより、たとえば、映像処理装置２００および通信端末３００を使用するユーザの入力操作によって、地点情報検索装置４００に送信されたラーメン店Ａの地点情報を、通信端末３５０を使用する他のユーザが利用することもできる。
【００５６】
（通信端末の機能的構成）
つぎに、この発明の実施の形態にかかる通信端末３００の機能的構成について説明する。図３は、この発明の実施の形態にかかる通信端末の機能的構成を示すブロック図である。図３において、通信端末３００は、受信部３０１と、実行部３０２と、判断部３０３と、報知部３０４と、を備える。
【００５７】
まず、受信部３０１は、映像内容によって特定される地物に関する地点情報を含む一連の映像データを映像出力する映像処理装置２００から、映像処理装置２００の映像出力中にユーザの操作入力が受け付けられたときの映像データに含まれる地物（以下「指定地物」）に関する地点情報を受信する。また、受信部３０１は、さらに、映像処理装置２００から映像処理装置２００の映像出力中にユーザの操作入力が受け付けられたときの映像データ（以下「指定映像データ」）を受信する構成としてもよい。
【００５８】
具体的には、ユーザが操作入力をおこなったタイミングで映像出力されている映像データが、あるラーメン店Ａを特定する映像内容であった場合、この映像データに付随しているラーメン店Ａの地点情報を受信する。また、映像処理装置２００からラーメン店Ａを特定する映像内容である映像データが送信された場合は、さらにこの映像データも受信する。
【００５９】
実行部３０２は、所定の処理を実行する。たとえば、実行部３０２は、地図データ表示処理、ルート探索処理、距離算出処理などの処理をおこなう。
【００６０】
ここで、地図データ表示処理は、通信端末３００本体の表示画面に地図データを表示する。ここで、地図データとは、ノードおよびリンクからなる道路ネットワークデータと、施設や道路その他地形（山、川、土地）に関するフィーチャを用いて描画される画像データであり、通信端末３００の表示画面に表示される。さらに、文字情報、施設の名称や住所などの情報、道路や施設の画像、道路の渋滞情報、地形の起伏をあらわす表示色の濃淡、誘導ルートなどを、重畳表示することもできる。
【００６１】
また、ルート探索処理は、任意の目的地点までのルートを探索する。具体的には、上述した地図データなどを利用して、出発地点から目的地点までのルートを探索する。
【００６２】
また、距離算出処理は、特定地点と指定地物との距離を算出する。算出される距離は、特定地点と指定地物との直線距離であってもよいし、特定地点から指定地物までの道なりの距離であってもよい。
【００６３】
判断部３０３は、実行部３０２による現在実行中の処理の内容に基づいて、受信部３０１によって受信された指定地物に関する地点情報が、現在実行中の処理に利用可能か否かを判断する。具体的には、たとえば、通信端末３００の表示画面に地図データが表示されている場合は、受信したラーメン店Ａの地点情報が表示可能か否かを判断する。
【００６４】
また、判断部３０３は、通信端末３００本体によって特定された特定地点に関する地点情報（以下「特定地点情報」）と指定地物に関する地点情報とに基づいて、指定地物に関する地点情報が、現在実行中の処理に利用可能か否かを判断する構成としてもよい。ここで、特定地点情報とは、たとえば、通信端末３００本体の現在地点情報であってもよいし、ユーザによって指定された任意の地点情報であってもよい。
【００６５】
たとえば、判断部３０３は、実行部３０２による地図データ処理により表示画面上に特定地点情報が表示されている場合、指定地物に関する地点情報が、表示画面上に表示可能か否かを判断する。具体的には、たとえば、地図データ上に表示されているカーソルをユーザが任意の方向にスクロールさせることによって、表示画面に表示される地図データの内容を変更することができる。このとき、判断部３０３は、ラーメン店Ａの地点情報が、変更された地図データ上に表示可能か否かを判断する。
【００６６】
また、判断部３０３は、実行部３０２によるルート探索処理によって探索されたルート上またはその近傍に、指定地物が位置するか否かを判断する。さらに、判断部３０３は、実行部３０２による距離算出処理によって算出された距離が処理距離以下であるか否かを判断する。具体的には、たとえば、通信端末３００の現在地点とラーメン店Ａの所在地点との距離を算出し、その算出結果が所定距離以下であるか否かを判断する。
【００６７】
報知部３０４は、判断部３０３によって判断された判断結果に基づいて、ユーザに報知する。たとえば、報知部３０４は、判断部３０３によって指定地物に関する地点情報が、現在実行中の処理に利用可能であると判断された場合、指定地物に関する地点情報を通信端末３００本体の表示画面上に表示する。具体的には、たとえば、通信端末３００本体の表示画面に現在表示中の地図データ上に、受信したラーメン店Ａの地点情報が表示可能であると判断した場合は、現在表示中の地図データ上にラーメン店Ａの地点情報を表示する。
【００６８】
また、報知部３０４は、判断部３０３によって指定地物に関する地点情報が、現在実行中の処理に利用可能であると判断された場合、指定地物に関する地点情報または当該地点情報に関する報知音を音声出力する。具体的には、たとえば、通信端末３００本体の表示画面に現在表示中の地図データ上に、受信したラーメン店Ａの地点情報が表示可能であると判断した場合は、現在表示中の地図データ上にラーメン店Ａの地点情報を表示するとともに、特定の効果音を音声出力してラーメン店Ａが表示画面に表示されている旨を、ユーザに報知する。
【００６９】
さらに、報知部３０４は、判断部３０３によって指定地物に関する地点情報が、現在実行中の処理に利用可能であると判断された場合、通信端末３００本体を振動させる。また、判断部３０３によって指定地物に関する地点情報が、現在実行中の処理に利用可能であると判断された場合、受信部３０１によって受信された指定映像データを通信端末３００本体の表示画面上に表示する構成としてもよい。
【００７０】
具体的には、たとえば、通信端末３００本体の現在地点とラーメン店Ａとの距離が所定距離以下となった場合、通信端末３００本体を振動させ、ユーザの現在地点近傍にラーメン店Ａが位置していることを報知する。
【００７１】
なお、上述したように、ユーザの通信端末３００は、カーナビゲーション装置や携帯電話機などの移動体通信端末や、モバイルコンピュータなどの移動体情報端末であってもよく、また、デスクトップ型のパーソナルコンピュータなどの据え置き型のコンピュータ装置であってもよい。
【００７２】
（地点情報検索装置の機能的構成）
つづいて、この発明の実施の形態にかかる地点情報検索装置の機能的構成について説明する。図４は、この発明の実施の形態にかかる地点情報検索装置の機能的構成を示すブロック図である。図４において、地点情報検索装置４００は、地点情報受信部４０１と、記憶部４０２と、検索要求受信部４０３と、抽出部４０４と、送信部４０５と、を備える。
【００７３】
地点情報検索装置４００の地点情報受信部４０１は、映像内容によって特定される地物に関する地点情報を含む一連の映像データを映像出力する映像処理装置２００から、指定地物に関する地点情報を受信する。なお、地点情報受信部４０１は、さらに、映像処理装置２００から指定映像データを受信する構成としてもよい。
【００７４】
記憶部４０２は、地点情報受信部４０１によって受信された指定地物に関する地点情報を記憶する。さらに、記憶部４０２は、地点情報受信部４０１によって受信された指定映像データを記憶する構成としてもよい。たとえば、地点情報受信部４０１によってラーメン店Ａの地点情報とともに、ラーメン店Ａを特定する映像内容である映像データを受信した場合、ラーメン店Ａの地点情報と、映像データとを関連づけて記憶する。
【００７５】
検索要求受信部４０３は、映像表示装置２００の映像出力中に操作入力をおこなったユーザ以外の他のユーザの通信端末３５０から指定地物に関する検索要求を受信する。また、検索要求受信部４０３が受信する上記検索要求には、他のユーザの通信端末３５０によって特定された特定地点情報が含まれていてもよい。なお、他のユーザの通信端末３５０は、カーナビゲーション装置や携帯電話機などの移動体通信端末やモバイルコンピュータなどの移動体情報端末であってもよく、また、デスクトップ型のパーソナルコンピュータなどの据え置き型のコンピュータ装置であってもよい。
【００７６】
抽出部４０４は、検索要求受信部４０３によって受信された検索要求に応じた地点情報を、記憶部４０２に記憶された指定地物に関する地点情報の中から抽出する。また、抽出部４０４は、特定地点情報に応じた地点情報を、記憶部４０２に記憶された地点情報の中から抽出する構成としてもよい。さらに、抽出部４０４は、記憶部４０２から指定地物に関する地点情報とともに、指定映像データを抽出する構成としてもよい。
【００７７】
たとえば、通信端末３５０からラーメン店Ａに関する検索要求があった場合、記憶部４０２に記憶されたラーメン店Ａの地点情報を抽出するとともに、ラーメン店Ａを特定する映像内容である映像データを抽出する。
【００７８】
送信部４０５は、抽出部４０４によって抽出された地点情報を、検索要求を送信した他のユーザの通信端末３５０に送信する。このとき、抽出部４０４によって抽出した指定映像データを地点情報とともに送信する構成としてもよい。
【００７９】
具体的には、たとえば、ラーメン店Ａの地点情報をラーメン店Ａの検索要求があった通信端末３５０に送信する。このとき、ラーメン店Ａを特定する映像内容である映像データを抽出している場合は、さらに、この映像データを通信端末３５０に送信する。
【００８０】
（地点情報報知システムのシステム処理手順）
つぎに、この発明の実施の形態にかかる地点情報報知システムのシステム処理手順の一例について説明する。図５は、この発明の実施の形態にかかる地点情報報知システムのシステム処理手順の一例を示すフローチャートである。図５において、まず、映像処理装置２００のデジタル放送受信部２０１によってデジタル放送波を受信する（ステップＳ５０１）。そして、映像処理装置２００は、受信したデジタル放送波を映像出力する。また、映像処理装置２００は、映像処理装置２００に録画した映像データまたはメディアに記録された映像データを再生出力するものとしてもよい。
【００８１】
つぎに、映像処理装置２００の受付部２０２は、映像内容によって特定される地物に関する地点情報を含む一連の映像データの映像出力中に、ユーザの操作入力を受け付けたか否かを判断する（ステップＳ５０２）。ユーザの操作入力は、一連の映像データの映像出力中の任意のタイミングでおこなうことができる。
【００８２】
ステップＳ５０２において、映像処理装置２００は、ユーザの操作入力を受け付けるのを待って、受け付けた場合（ステップＳ５０２：Ｙｅｓ）は、映像処理装置２００の抽出部２０３は、受付部２０２によって操作入力が受け付けられたときの映像データから、当該映像データに含まれている地物に関する地点情報を抽出する（ステップＳ５０３）。
【００８３】
つづいて、映像処理装置２００の送信部２０４は、抽出部２０３によって抽出された地物に関する地点情報を、ユーザの通信端末３００に送信する（ステップＳ５０４）。そして、通信端末３００の受信部３０１は、映像処理装置２００の送信部２０４から送信された地点情報を受信する（ステップＳ５０５）。つづいて、通信端末３００の判断部３０３は、実行部３０２が実行する所定の処理に、受信部３０１によって受信された地点情報が、現在実行中の処理に利用可能か否かを判断する（ステップＳ５０６）。
【００８４】
ステップＳ５０６において、通信端末３００の判断部３０３によって利用可能と判断された場合（ステップＳ５０６：Ｙｅｓ）は、映像処理装置２００の報知部３０４は、判断部３０３の判断結果に基づいて、ユーザに報知して（ステップＳ５０７）、一連の処理を終了する。
【００８５】
なお、ステップＳ５０４において、映像処理装置２００の送信部２０４は、抽出部２０３によって抽出された地点情報とともに、受付部２０２によってユーザの操作入力が受け付けられたときの映像データを通信端末３００に送信する構成としてもよい。
【００８６】
つぎに、この発明の実施の形態にかかる地点情報報知システムのシステム処理手順の他の一例について説明する。図６は、この発明の実施の形態にかかる地点情報報知システムのシステム処理手順の他の一例を示すフローチャートである。図６において、まず、映像処理装置２００のデジタル放送受信部２０１によってデジタル放送波を受信する（ステップＳ６０１）。そして、映像処理装置２００は、受信したデジタル放送波を映像出力する。また、映像処理装置２００は、映像処理装置２００に録画した映像データまたはメディアに記録された映像データを再生出力するものとしてもよい。
【００８７】
つぎに、映像処理装置２００の受付部２０２は、映像内容によって特定される地物に関する地点情報を含む一連の映像データの映像出力中に、ユーザの操作入力を受け付けたか否かを判断する（ステップＳ６０２）。ユーザの操作入力は、一連の映像データの映像出力中の任意のタイミングでおこなうことができる。
【００８８】
ステップＳ６０２において、映像処理装置２００は、ユーザの操作入力を受け付けるのを待って、受け付けた場合（ステップＳ６０２：Ｙｅｓ）は、映像処理装置２００の抽出部２０３は、受付部２０２によって操作入力が受け付けられたときの映像データから、当該映像データに含まれている地物に関する地点情報を抽出する（ステップＳ６０３）。
【００８９】
つづいて、映像処理装置２００の送信部２０４は、抽出部２０３によって抽出された地物に関する地点情報を、地点情報検索装置４００に送信する（ステップＳ６０４）。そして、地点情報検索装置４００の地点情報受信部４０１は、映像処理装置２００の送信部２０４から送信された地点情報を受信する（ステップＳ６０５）。つづいて、地点情報検索装置４００の記憶部４０２は、地点情報受信部４０１によって受信された地点情報を記憶する（ステップＳ６０６）。
【００９０】
つづいて、地点情報検索装置４００の検索要求受信部４０３によって、他のユーザが使用する通信端末３５０から指定地物に関する検索要求を受信したか否かを判断する（ステップＳ６０７）。地点情報検索装置４００は、検索要求受信部４０３によって、検索要求を受信するのを待って、受信した場合（ステップＳ６０７：Ｙｅｓ）は、地点情報検索装置４００の抽出部４０４は、検索要求受信部４０３によって受信された検索要求に応じた地点情報を、記憶部４０２に記憶された地点情報の中から抽出する（ステップＳ６０８）。
【００９１】
つぎに、地点情報検索装置４００の送信部４０５は、抽出部４０４によって抽出された地点情報を、検索要求を送信した他のユーザが使用する通信端末３５０に送信する（ステップＳ６０９）。そして、通信端末３５０において、図５のフローチャートのＳ５０５〜Ｓ５０７に示す処理と同様の処理をおこない、一連の処理を終了する（ステップＳ６１０）。
【００９２】
以上説明したように、本実施の形態によれば、映像処理装置２００の映像出力中の任意のタイミングにユーザの操作入力を受け付けることによって、操作入力を受け付けたときの映像データに含まれる地点情報を抽出することができる。そして、抽出した地点情報をユーザの通信端末３００に送信することによって、ユーザの通信端末３００において実行される所定の処理に利用することができる。
【００９３】
また、通信端末３００において、受信した地点情報が実行中の所定の処理に利用可能か否かを判断し、この判断結果に基づいて、ユーザに報知することができる。このように、ユーザが簡単な操作入力をおこなうことによって抽出した地点情報を、自動的にユーザの通信端末３００に送信し、通信端末３００において実行中の処理に利用することができる。このため、ユーザの操作入力によって抽出された地点情報を有効に活用することができる。
【００９４】
さらに、ユーザに対して、抽出した地点情報に関する情報を自動的に表示出力や音声出力によって報知することができる。これにより、ユーザは、忘れていた、または忘れかけていた情報を、意図することなく知ることができる。
【００９５】
また、映像処理装置２００によって抽出した地点情報を地点情報検索装置４００に格納することができる。そして、地点情報検索装置４００を介して、複数のユーザによって地点情報を共有することができ、複数の通信端末において実行中の処理に地点情報を利用することができる。このため、映像処理装置２００によって抽出した地点情報をより有効に利用することができる。
【実施例１】
【００９６】
以下に、上述した実施の形態にかかる映像処理装置２００および通信端末３００の実施例１について説明する。この実施例１は、上述した映像処理装置２００を、自宅のテレビなどの据え置き型の映像表示装置７００に、通信端末３００を、車両（四輪車、二輪車を含む）などの移動体や携帯型電話機などの可搬型端末に搭載されるナビゲーション装置８００に適用した例である。
【００９７】
（映像表示装置のハードウェア構成）
まず、この発明の実施例１にかかる映像表示装置のハードウェア構成について説明する。図７は、この発明の実施例１にかかる映像表示装置のハードウェア構成を示すブロック図である。図７において、映像表示装置７００は、ＣＰＵ７０１と、ＲＯＭ７０２と、ＲＡＭ７０３と、磁気ディスクドライブ７０４と、磁気ディスク７０５と、光ディスクドライブ７０６と、光ディスク７０７と、音声Ｉ／Ｆ（インターフェース）７０８と、マイク７０９と、スピーカ７１０と、入力デバイス７１１と、映像Ｉ／Ｆ７１２と、ディスプレイ７１３と、通信Ｉ／Ｆ（インターフェース）７１４と、を備えている。各構成部７０１〜７１４はバス７１５によってそれぞれ接続されている。
【００９８】
まず、ＣＰＵ７０１は、映像表示装置７００の全体の制御を司る。ＲＯＭ７０２は、ブートプログラムや映像処理プログラムなどのプログラムを記録している。なお、映像処理プログラムについての詳細な説明は後述する。
【００９９】
ＲＡＭ７０３は、ＣＰＵ７０１のワークエリアとして使用される。磁気ディスクドライブ７０４は、ＣＰＵ７０１の制御にしたがって磁気ディスク７０５に対するデータのリード／ライトを制御する。磁気ディスク７０５は、磁気ディスクドライブ７０４の制御で書き込まれたデータを記録する。
【０１００】
具体的には、たとえば、磁気ディスクドライブ７０４は、バラエティ、ドラマ、映画、アニメ、音楽、スポーツ、ニュース、情報番組などの各種放送番組や、放送番組間のＣＭを、磁気ディスク７０５に記録する。磁気ディスク７０５としては、たとえば、ＨＤ（ハードディスク）やＦＤ（フレキシブルディスク）を用いることができる。
【０１０１】
光ディスクドライブ７０６は、ＣＰＵ７０１の制御にしたがって光ディスク７０７に対するデータのリード／ライトを制御する。光ディスク７０７は、光ディスクドライブ７０６の制御にしたがって光ディスク７０７からデータの読み出される着脱自在な記録媒体である。光ディスク７０７は、書き込み可能な記録媒体を利用することもできる。上述した各種放送番組や放送番組間のＣＭなどは、光ディスク７０７に記録されていてもよい。また、この着脱可能な記録媒体として、光ディスク７０７のほか、ＭＯ、メモリカードなどであってもよい。
【０１０２】
また、音声Ｉ／Ｆ７０８は、音声入力用のマイク７０９および音声出力用のスピーカ７１０に接続される。マイク７０９に受音された音声は、音声Ｉ／Ｆ７０８内でＡ／Ｄ変換される。また、スピーカ７１０からは音声が出力される。また、入力デバイス７１１は、文字、数値、各種指示等の入力のための複数のキーを備えたリモコン、キーボード、マウス、タッチパネルなどが挙げられる。
【０１０３】
また、映像Ｉ／Ｆ７１２は、ディスプレイ７１３と接続される。映像Ｉ／Ｆ７１２は、具体的には、たとえば、ディスプレイ７１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ７１３を表示制御する制御ＩＣなどによって構成される。
【０１０４】
ディスプレイ７１３には、アイコン、カーソル、メニュー、ウインドウ、あるいは文字や画像等の各種データが表示される。このディスプレイ７１３は、たとえば、ＣＲＴ、ＴＦＴ液晶ディスプレイ、プラズマディスプレイなどを採用することができる。
【０１０５】
また、通信Ｉ／Ｆ７１４は、無線、あるいは通信ケーブルを介してネットワークに接続され、このネットワークとＣＰＵ７０１とのインターフェースとして機能する。具体的には、たとえば、ネットワークに接続されたナビゲーション装置８００と、ＣＰＵ７０１とのインターフェースとして機能する。ネットワークには、ＬＡＮ、ＷＡＮ、公衆回線網や携帯電話網などがある。
【０１０６】
さらに、通信Ｉ／Ｆ７１４は、デジタルチューナー、ＢＳチューナーなどを備えている。テレビ局からデジタル放送波として送信されてくる放送番組などのコンテンツを受信することが可能である。
【０１０７】
ここで、ＲＯＭ７０２に記録されている映像処理プログラムの処理内容について説明する。映像処理プログラムは、通信Ｉ／Ｆ７１４のデジタルチューナーを介して受信したデジタル放送波の映像データの中から地点情報を抽出する。具体的には、ユーザが入力デバイス７１１であるリモコンの特定ボタンを押下することによって、そのときに映像出力中の映像データに付随した地点情報を抽出する。そして、抽出した地点情報を通信Ｉ／Ｆ７１４を介して、ナビゲーション装置８００に送信する。
【０１０８】
（ナビゲーション装置のハードウェア構成）
つぎに、この発明の実施例１にかかるナビゲーション装置のハードウェア構成について説明する。図８は、この発明の実施例１にかかるナビゲーション装置のハードウェア構成を示すブロック図である。図８において、ナビゲーション装置８００は、ＣＰＵ８０１と、ＲＯＭ８０２と、ＲＡＭ８０３と、磁気ディスクドライブ８０４と、磁気ディスク８０５と、光ディスクドライブ８０６と、光ディスク８０７と、音声Ｉ／Ｆ（インターフェース）８０８と、マイク８０９と、スピーカ８１０と、入力デバイス８１１と、映像Ｉ／Ｆ８１２と、ディスプレイ８１３と、通信Ｉ／Ｆ（インターフェース）８１４と、ＧＰＳレシーバ８１５と、を備えている。各構成部８０１〜８１５はバス８１６によってそれぞれ接続されている。
【０１０９】
まず、ＣＰＵ８０１は、ナビゲーション装置８００の全体の制御を司る。ＲＯＭ８０２は、ブートプログラム、ルート探索プログラム、ルート誘導プログラム、音声生成プログラム、地点情報報知プログラムなどのプログラムを記録している。
【０１１０】
ここで、ルート探索プログラムは、光ディスク８０７に記録されている地図データなどを利用して、出発地点から目的地点までの最適なルートを探索する。ここで、最適なルートとは、目的地点までの最短（あるいは最速）ルートや利用者が指定した条件にもっとも合致するルートなどである。ルート探索プログラムを実行することによって探索された誘導ルートは、ＣＰＵ８０１を介して音声Ｉ／Ｆ８０８や映像Ｉ／Ｆ８１２へ出力される。
【０１１１】
また、ルート誘導プログラムは、ルート探索プログラムを実行することによって探索された誘導ルート情報、通信Ｉ／Ｆ８１４によって取得されたナビゲーション装置８００の現在地点情報、光ディスク８０７から読み出された地図データに基づいて、リアルタイムなルート誘導情報の生成をおこなう。ルート誘導プログラムを実行することによって生成されたルート誘導情報は、ＣＰＵ８０１を介して音声Ｉ／Ｆ８０８や映像Ｉ／Ｆ８１２へ出力される。
【０１１２】
また、音声生成プログラムは、パターンに対応したトーンと音声の情報を生成する。すなわち、ルート誘導プログラムを実行することによって生成されたルート誘導情報に基づいて、案内ポイントに対応した仮想音源の設定と音声ガイダンス情報の生成をおこない、ＣＰＵ８０１を介して音声Ｉ／Ｆ８０８へ出力する。
【０１１３】
また、地点情報報知プログラムは、ＣＰＵ８０１によって現在実行中の処理に、映像表示装置７００または後述する検索サーバ１７００から転送された地点情報が利用可能か否かを判断し、この判断結果に基づいて、報知情報の生成をおこなう。地点情報報知プログラムを実行することによって生成された報知情報は、ＣＰＵ８０１を介して音声Ｉ／Ｆ８０８や映像Ｉ／Ｆ８１２へ出力される。
【０１１４】
ＲＡＭ８０３は、ＣＰＵ８０１のワークエリアとして使用される。磁気ディスクドライブ８０４は、ＣＰＵ８０１の制御にしたがって磁気ディスク８０５に対するデータのリード／ライトを制御する。磁気ディスク８０５は、磁気ディスクドライブ８０４の制御で書き込まれたデータを記録する。磁気ディスク８０５としては、たとえば、ＨＤ（ハードディスク）やＦＤ（フレキシブルディスク）を用いることができる。
【０１１５】
光ディスクドライブ８０６は、ＣＰＵ８０１の制御にしたがって光ディスク８０７に対するデータのリード／ライトを制御する。光ディスク８０７は、光ディスクドライブ８０６の制御にしたがって光ディスク８０７からデータの読み出される着脱自在な記録媒体である。光ディスク８０７は、書き込み可能な記録媒体を利用することもできる。また、この着脱可能な記録媒体として、光ディスク８０７のほか、ＭＯ、メモリカードなどであってもよい。光ディスク８０７には、上述した地図データが記録されている。地図データは、ルート探索およびルート誘導に用いられる。
【０１１６】
また、音声Ｉ／Ｆ８０８は、音声入力用のマイク８０９および音声出力用のスピーカ８１０に接続される。マイク８０９に受音された音声は、音声Ｉ／Ｆ８０８内でＡ／Ｄ変換される。また、スピーカ８１０からは音声が出力される。また、入力デバイス８１１は、文字、数値、各種指示等の入力のための複数のキーを備えたリモコン、キーボード、マウス、タッチパネルなどが挙げられる。
【０１１７】
また、映像Ｉ／Ｆ８１２は、ディスプレイ８１３と接続される。映像Ｉ／Ｆ８１２は、具体的には、たとえば、ディスプレイ８１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ８１３を表示制御する制御ＩＣなどによって構成される。
【０１１８】
ディスプレイ８１３には、アイコン、カーソル、メニュー、ウインドウ、あるいは文字や画像等の各種データが表示される。このディスプレイ８１３は、たとえば、ＣＲＴ、ＴＦＴ液晶ディスプレイ、プラズマディスプレイなどを採用することができる。
【０１１９】
また、通信Ｉ／Ｆ８１４は、無線、あるいは通信ケーブルを介してネットワークに接続され、このネットワークとＣＰＵ８０１とのインターフェースとして機能する。具体的には、たとえば、ネットワークに接続された映像表示装置７００および検索サーバ１７００と、ＣＰＵ８０１とのインターフェースとして機能する。ネットワークには、ＬＡＮ、ＷＡＮ、公衆回線網や携帯電話網等がある。通信Ｉ／Ｆ８１４は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線通信機器、およびその他の通信機器によって構成され、ＶＩＣＳセンターから配信される渋滞や交通規制などの道路交通情報を取得する。
【０１２０】
また、ＧＰＳレシーバ８１５は、ＧＰＳ（Ｇｌｏｂａｌ  Ｐｏｓｉｔｉｏｎｉｎｇ  Ｓｙｓｔｅｍ）や各種センサからの出力値を用いて、移動体の現在位置（ナビゲーション装置８００の現在位置）を示す情報を取得する。
【０１２１】
なお、図２に示した映像処理装置２００のデジタル放送受信部２０１、受付部２０２、抽出部２０３、送信部２０４は、図７に示した映像表示装置７００のＲＯＭ７０２、ＲＡＭ７０３、磁気ディスク７０５、光ディスク７０７などに記録されたプログラムをＣＰＵ７０１が実行し、映像表示装置２００における各部を制御することによってその機能を実現する。
【０１２２】
また、図３に示した通信端末３００の受信部３０１、実行部３０２、判断部３０３、報知部３０４は、図８に示したナビゲーション装置８００のＲＯＭ８０２、ＲＡＭ８０３、磁気ディスク８０５、光ディスク８０７などに記録されたプログラムをＣＰＵ８０１が実行し、ナビゲーション装置における各部を制御することによってその機能を実現する。
【０１２３】
上述したように、実施例１によれば、映像表示装置７００は、ユーザが操作入力をおこなったときに映像出力中の映像データに付随した地点情報をナビゲーション装置８００に送信することができる。このため、ユーザは、映像表示装置７００の映像出力中に、任意のタイミングで簡単な操作入力をおこなうだけで、そのとき映像出力されていた映像データに付随する地点情報を取得することができる。
【０１２４】
また、ナビゲーション装置８００は、映像表示装置７００から送信された地点情報を実行中の処理に利用することによって、ユーザに報知することができる。このため、ユーザは、忘れていた、または、忘れかけていた情報を、ユーザが意図することなく知ることができる。
【実施例２】
【０１２５】
つぎに、上述した実施の形態にかかる映像処理装置２００および通信端末３００の実施例２について説明する。この実施例２も、上述した実施例１と同様、上述した映像処理装置２００を、自宅のテレビなどの据え置きの映像表示装置７００に、通信端末３００を、車両（四輪車、二輪車を含む）などの移動体や携帯型電話機などの可搬型端末に搭載されるナビゲーション装置８００に適用した例である。
【０１２６】
この実施例２にかかるナビゲーション装置８００は、実施例１で示したハードウェア構成を用いて、映像表示装置７００から送信された地点情報がナビゲーション装置８００のディスプレイ８１３に表示可能か否か判断する。なお、実施例２にかかる映像表示装置７００およびナビゲーション装置８００のハードウェア構成（図７，８参照）は、上述した実施例１と同様であるため、その説明を省略する。
【０１２７】
まず、実施例２にかかるナビゲーション装置８００が受信する地点情報について説明する。図９は、映像表示装置のリモコンを用いて、ユーザが操作入力をおこなう一例を示す説明図である。図９に示すように、ユーザは、映像表示装置７００を用いて自宅で情報番組を視聴している。
【０１２８】
このとき、映像表示装置７００のディスプレイ７１３に、ユーザの興味を喚起させるラーメン店の映像データ９０３が表示されたとする。そして、ユーザがこのラーメン店に関する情報を欲しいと思った場合、ディスプレイ７１３にラーメン店の映像データ９０３が表示されている間に映像表示装置７００のリモコン９０１に設けられたきっかけボタン９０２を押下する。
【０１２９】
ユーザがきっかけボタン９０２を押下した場合、ラーメン店の映像データ９０３に付随する地点情報１０００（図１０参照）が映像表示装置７００の通信Ｉ／Ｆ７１４を介して、ユーザのナビゲーション装置８００に送信される。このとき、地点情報１０００とともに、きっかけボタン９０２が押下されたときに映像出力されていたラーメン店の映像データ９０３が映像表示装置７００から、ユーザのナビゲーション装置８００に転送されてもよい。
【０１３０】
ここで、ユーザがきっかけボタン９０２を押下した場合に、ナビゲーション装置８００に送信される地点情報について説明する。図１０は、地点情報の一例を示した説明図である。図１０に示すように、地点情報１０００には、情報番組が放送された日付、情報番組の番組名、ラーメン店の店舗名、住所、電話番号が含まれている。
【０１３１】
なお、自宅の映像表示装置７００からナビゲーション装置８００に地点情報１０００が送信されたときに、ナビゲーション装置８００の電源がＯＦＦ状態となっているなど、ナビゲーション装置８００が地点情報１０００を受信できない場合がある。このとき、自宅の映像表示装置７００から送信された地点情報１０００は、ＤＢサーバなどの情報を格納することができるサーバに一時的に格納される。
【０１３２】
そして、ユーザが外出するときなどに、ナビゲーション装置８００の電源がＯＮ状態となった場合に、自動的に、または、ユーザが入力デバイス７１１を操作してＤＢサーバに問い合わせをすることによって、一時的にＤＢサーバに格納された地点情報１０００を受信する。
【０１３３】
（ナビゲーション装置の地点情報報知処理手順）
つぎに、実施例２にかかるナビゲーション装置８００の地点情報報知処理手順について説明する。図１１は、実施例２にかかるナビゲーション装置の地点情報報知処理手順を示すフローチャートである。図１１のフローチャートにおいて、まず、ＣＰＵ８０１は、映像表示装置７００から送信された地点情報１０００を受信したか否かを判断する（ステップＳ１１０１）。
【０１３４】
地点情報１０００は、上述したように、ユーザが自宅で情報番組を視聴しているときに、リモコン９０１のきっかけボタン９０２を押下したときの映像データに付随した情報である。受信した地点情報１０００は、ナビゲーション装置８００のＲＯＭ８０２、ＲＡＭ８０３、磁気ディスク８０５、あるいは光ディスク８０７などの記録媒体に記録される。
【０１３５】
ステップＳ１１０１において、地点情報１０００を受信するのを待って、受信した場合（ステップＳ１１０１：Ｙｅｓ）には、ＣＰＵ８０１は、ディスプレイ８１３に現在表示中の地図データ上に受信した地点情報１０００が表示可能か否かを判断する（ステップＳ１１０２）。
【０１３６】
通常、ディスプレイ８１３に表示される地図データは、ナビゲーション装置８００が搭載された車両などの移動体の現在位置情報に基づいて、表示位置が特定されている。このとき、特定の縮尺で地図データが表示されている。特定の縮尺は、ユーザの操作によって変更可能であり、ユーザが入力デバイス８１１を操作することによっておこなう。
【０１３７】
たとえば、実際の１／２５０００の縮尺によって表示されている地図データをユーザの操作により、１／５００００の縮尺に変更することができ、より広域なエリアを表示することができる。また、地図データ上に表示されているカーソルを、ユーザが入力デバイス８１１を操作することによって、任意の方向にスクロールさせることができ、表示位置を変更することができる。
【０１３８】
ステップＳ１１０２において、ディスプレイ８１３に表示可能であると判断された場合（ステップＳ１１０２：Ｙｅｓ）は、ユーザに報知して（ステップＳ１１０３）、一連の処理を終了する。
【０１３９】
上述した実施例２によれば、映像表示装置７００から送信された地点情報１０００がディスプレイ８１３に表示可能であると判断された場合は、ユーザに報知することができる。
【実施例３】
【０１４０】
つづいて、上述した実施の形態にかかる映像処理装置２００および通信端末３００の実施例３について説明する。この実施例３も、上述した実施例１，２と同様、上述した映像処理装置２００を、自宅のテレビなどの据え置きの映像表示装置７００に、通信端末３００を、車両（四輪車、二輪車を含む）などの移動体や携帯型電話機などの可搬型端末に搭載されるナビゲーション装置８００に適用した例である。
【０１４１】
この実施例３にかかるナビゲーション装置８００は、実施例１で示したハードウェア構成を用いて、任意の目的地点までのルートを探索するルート探索プログラムを実行した場合に、その探索されたルート上または、その近傍に地点情報１０００によって特定される地点が位置しているか否かを判断する。なお、実施例３にかかる映像表示装置７００およびナビゲーション装置８００のハードウェア構成（図７，８参照）は、上述した実施例１と同様であるため、その説明を省略する。また、実施例２において説明した箇所と同一箇所については、図示および説明を省略する。以下、同様とする。
【０１４２】
（ナビゲーション装置の地点情報報知処理手順）
まず、実施例３にかかるナビゲーション装置８００の地点情報報知処理手順について説明する。図１２は、実施例３にかかるナビゲーション装置の地点情報報知処理手順を示すフローチャートである。図１２のフローチャートにおいて、まず、ＣＰＵ８０１は、映像表示装置７００から送信された地点情報１０００を受信したか否かを判断する（ステップＳ１２０１）。
【０１４３】
つぎに、ＣＰＵ８０１は、ユーザによって任意の目的地点が設定されたか否かを判断する（ステップＳ１２０２）。目的地点の設定は、ユーザが入力デバイス７１１を操作しておこなうことができる。そして、ステップＳ１２０２において、目的地点の設定がおこなわれるのを待って、おこなわれた場合（ステップＳ１２０２：Ｙｅｓ）は、目的地点までのルートを探索する。ルート探索は、ＣＰＵ８０１がルート探索プログラムを実行することによっておこない、目的地点までの最適なルートを探索する（ステップＳ１２０３）。
【０１４４】
つづいて、ＣＰＵ８０１は、探索された目的地点までのルート上またはその近傍に受信した地点情報１０００によって特定される地点が位置しているか否かを判断する（ステップＳ１２０４）。具体的には、たとえば、探索された目的地点までのルート上から半径５００ｍ以内に、地点情報１０００によって特定される地点が位置している場合は、ルート上またはその近傍に位置していると判断する。
【０１４５】
また、現在地点から目的地点までのルート探索をおこなった場合、目的地点までの走行距離や走行時間、渋滞情報などの交通情報を加味してルート探索がおこなわれ、複数の探索結果が得られる。この場合、ＣＰＵ８０１は、複数の探索結果のすべてに対して、ルート上またはその近傍に受信した地点情報１０００によって特定される地点が位置しているか否かを判断する。
【０１４６】
そして、位置していると判断した場合（ステップＳ１２０４：Ｙｅｓ）は、ユーザに報知して（ステップＳ１２０５）、一連の処理を終了する。
【０１４７】
なお、受信した地点情報によって特定される地点が、探索された目的地点までのルート上またはその近傍に位置していない場合（ステップＳ１２０４：Ｎｏ）は、一連の処理を終了する。
【０１４８】
上述した実施例３によれば、ユーザが任意の目的地点を設定し、その目的地点までのルートを探索するルート探索プログラムを実行した場合に、その探索されたルート上または、その近傍に地点情報によって特定される地点が位置しているときは、ユーザに報知することができる。
【実施例４】
【０１４９】
つぎに、上述した実施の形態にかかる映像処理装置２００および通信端末３００の実施例４について説明する。この実施例４も、上述した実施例１〜３と同様、上述した映像処理装置２００を、自宅のテレビなどの据え置きの映像表示装置７００に、通信端末３００を、車両（四輪車、二輪車を含む）などの移動体や携帯型電話機などの可搬型端末に搭載されるナビゲーション装置８００に適用した例である。
【０１５０】
この実施例４にかかるナビゲーション装置８００は、実施例１で示したハードウェア構成を用いて、ユーザの現在地点またはユーザによって任意に指定した地点と、受信した地点情報１０００によって特定される地点までの距離を算出し、この算出結果が所定距離以下であるか否かを判断する。なお、実施例４にかかる映像表示装置７００およびナビゲーション装置８００のハードウェア構成（図７，８参照）は、上述した実施例１と同様であるため、その説明を省略する。
【０１５１】
（ナビゲーション装置の地点情報報知処理手順）
まず、実施例４にかかるナビゲーション装置８００の地点情報報知手順について説明する。図１３は、実施例４にかかるナビゲーション装置の地点情報報知手順を示すフローチャートである。図１３のフローチャートにおいて、まず、ＣＰＵ８０１は、地点情報１０００を受信したか否かを判断する（ステップＳ１３０１）。
【０１５２】
つぎに、ＣＰＵ８０１は、特定地点が特定されたか否かを判断する（ステップＳ１３０２）。特定地点は、ユーザの現在地点であってもよいし、ユーザがディスプレイ８１３に表示されている地図データ上の任意の地点を指定することによって特定してもよい。
【０１５３】
つづいて、特定地点が特定されるのを待って、特定された場合（ステップＳ１３０２：Ｙｅｓ）は、特定地点と地点情報１０００によって特定される地点との距離を算出する（ステップＳ１３０３）。距離算出は、ＣＰＵ８０１が距離算出プログラムを実行することによっておこなう。
【０１５４】
つぎに、ＣＰＵ８０１は、ステップＳ１３０３における算出結果が所定距離以下であるか否かを判断する（ステップＳ１３０４）。ここで、所定距離とは、あらかじめユーザが任意に設定した距離であり、たとえば、１ｋｍや１０ｋｍなどの距離に設定する。また、所定距離は、設定後もユーザが入力デバイス８１１を操作することによって、任意に変更することができる。
【０１５５】
そして、ステップＳ１３０３における算出結果が所定距離以下であった場合（ステップＳ１３０４：Ｙｅｓ）は、ユーザに報知して（ステップＳ１３０５）、一連の処理を終了する。なお、ステップＳ１３０３における算出結果が所定距離以下ではなかった場合（ステップＳ１３０４：Ｎｏ）は、ステップＳ１３０３に戻り、処理を繰り返す。
【０１５６】
上述した実施例４によれば、ユーザの現在地点またはユーザによって任意に指定した地点と、受信した地点情報１０００によって特定される地点までの距離を算出し、この算出結果が所定距離以下であった場合は、ユーザに報知することができる。
【実施例５】
【０１５７】
この実施例５にかかるナビゲーション装置８００は、実施例１で示したハードウェア構成を用いて、地点情報１０００をユーザに報知する。なお、実施例５にかかる映像表示装置７００およびナビゲーション装置８００のハードウェア構成（図７，８参照）は、上述した実施例１と同様であるため、その説明を省略する。
【０１５８】
以下、上述した実施例１〜４において説明した判断結果に基づいて、ユーザに報知するときの報知内容について詳細に説明する。まず、ナビゲーション装置８００のディスプレイ８１３に地図データが表示されているときに、地点情報１０００がこの地図データ上に表示可能となった場合について説明する。
【０１５９】
具体的には、ナビゲーション装置８００が搭載された車両などの移動体の現在位置情報に基づいて、ディスプレイ８１３に表示された地図データ上に、受信した地点情報１０００が表示可能となった場合は、地点情報１０００を表示する。または、ディスプレイ８１３に表示された地図データの縮尺を変更したり、カーソルを移動させることによって表示位置を変更しているときに、受信した地点情報１０００が表示可能となった場合は、地点情報１０００を表示する。
【０１６０】
ここで、図１４−１は、地図データが表示されたディスプレイを示す説明図（その１）である。図１４−１において、ディスプレイ８１３には、地図データ１４００が表示されている。また、符号１４０１は、ナビゲーション装置８００が搭載された車両の現在地点を示している。地図データ１４００は、符号１４０１で示す車両の現在地点情報に基づいて、表示位置が特定されている。
【０１６１】
そして、図１４−１に示すように、車両が移動中に地点情報１０００によって特定されるラーメン店がディスプレイ８１３に表示されている地図データ１４００上に表示可能となった場合、スピーカ８１０から所定の効果音を出力するとともに、地点情報１０００によって特定されるラーメン店の所在地点にアイコン１４０２を表示してユーザに報知する。このとき、ディスプレイ８１３の所定の位置に、詳細表示ボタン１４０３をさらに表示する。所定の効果音は、たとえば、「ピンポーン」という擬音であってもよいし、「新しい情報が表示されました。」などの案内音声であってもよい。
【０１６２】
そして、ユーザは、スピーカ８１０から出力された効果音を聞く、または、ディスプレイ８１３に表示されたアイコン１４０２を視認することによって、現在地点の近傍に何らかの情報が表示されていることに気づくことができる。また、その情報に関する詳細な説明が知りたい場合は、地点情報１０００を詳細表示することができる。たとえば、ユーザがディスプレイ８１３に表示されている詳細表示ボタン１４０３に触れることによって、ディスプレイ８１３に地点情報１０００が詳細表示される。
【０１６３】
図１４−２は、地図データが表示されたディスプレイを示す説明図（その２）である。ユーザがディスプレイ８１３に表示されている詳細表示ボタン１４０３に触れた場合、地点情報１０００が詳細表示される。図１４−２において、ディスプレイ８１３の片側半分には、地図データ１４００が表示されており、もう一方の片側半分には、地点情報１０００が詳細表示されている。
【０１６４】
詳細表示されている地点情報１０００には、上述したように、情報番組が放送された日付、番組名、店舗名、住所、電話番号などが含まれている。これにより、ユーザは、現在地点近傍に地点情報１０００によって特定されるラーメン店が位置していることを知ることができる。さらに、ユーザは、この詳細表示された地点情報１０００の内容を確認することによって、忘れていた、または、忘れかけていた地点情報１０００によって特定されるラーメン店の情報を思い出すことができる。
【０１６５】
また、詳細表示された地点情報１０００には、イメージアイコン１４０４がさらに表示されており、たとえば、ユーザがこのイメージアイコン１４０４に触れることによって、映像データ９０３をディスプレイ８１３に表示させることができる。映像データ９０３は、ユーザがきかっけボタン９０２を押下したときに、映像表示装置７００のディスプレイ７１３に映像出力されていたものである（図９参照）。
【０１６６】
図１４−３は、地図データが表示されたディスプレイを示す説明図（その３）である。ユーザがディスプレイ８１３に表示されているイメージアイコン１４０４に触れた場合、映像データ９０３が表示される。図１４−３において、ディスプレイ８１３の片側半分には、地図データ１４００が表示されており、もう一方の方側半分には、映像データ９０３が表示されている。ユーザは、この映像データ９０３の内容を確認することによって、忘れていた、または、忘れかけていた地点情報１０００によって特定されるラーメン店の情報をより鮮明に思い出すことができる。
【０１６７】
なお、ディスプレイ８１３に表示される地点情報が複数ある場合に、詳細表示ボタン１４０３を操作したときは、地点情報がリスト化されて表示される構成としてもよい。具体的には、たとえば、店舗名のみがリスト化されて表示される構成としてもよい。そして、そのリスト化された店舗名の中から、ユーザが詳細表示させたい店舗名を選択することによって、その店舗の情報がディスプレイ８１３に詳細表示される。
【０１６８】
また、アイコン１４０２によって表示されているラーメン店の所在地点を目的地点として設定することもできる。この場合、ＣＰＵ８０１は、ルート探索プログラムを実行し、現在地点からアイコン１４０２によって表示されているラーメン店の所在地点までの最適なルートを探索する。
【０１６９】
そして、探索されたルートなどに基づいて、ＣＰＵ８０１は、ルート誘導プログラムを実行し、リアルタイムなルート誘導情報を生成する。そして、生成されたルート誘導情報は、ＣＰＵ８０１を介して音声Ｉ／Ｆ８０８や映像Ｉ／Ｆ８１４へ出力される。なお、目的地点の設定は、リスト化された複数の地点情報の中から選択することによっておこなってもよい。
【０１７０】
つぎに、ナビゲーション装置８００において、ルート探索をおこなったときの探索結果のルート上またはその近傍に地点情報が表示可能となった場合について説明する。図１５は、地図データ上に探索結果が表示されたディスプレイを示す説明図である。図１５に示すように、ディスプレイ８１３には、地図データ１５００が表示されており、この地図データ１５００上には、現在地点１５０１から目的地点１５０２までのルート１５０３〜１５０５が表示されている。
【０１７１】
そして、これらのルート１５０３〜１５０５のルート上またはその近傍に、地点情報１０００によって特定されるラーメン店が位置している場合は、スピーカ８１０から所定の効果音を出力させるとともに、地点情報１０００によって特定されるラーメン店が位置している地点にアイコン１５０６を表示してユーザに報知する。所定の効果音は、たとえば、「ピンポーン」という擬音であってもよいし、「探索されたルート近傍に新しい情報が表示されました。」などの案内音声であってもよい。
【０１７２】
なお、ルート１５０３〜１５０５のルート上またはその近傍に、地点情報によって特定される地点が複数個、位置している場合は、すべての地点にアイコン１５０６を表示して、ユーザに報知することとしてもよいし、探索されたルート上からもっとも近いものから順に、所定の個数、たとえば、３つの地点にアイコン１５０６を表示することとしてもよい。
【０１７３】
また、ユーザがディスプレイ８１３に表示されている詳細表示ボタン１５０７に触れることによって、ディスプレイ８１３に地点情報１０００を詳細表示することができる。地点情報１０００を詳細表示するときの説明は、図１４−２，１４−３と同様のため説明を省略する。
【０１７４】
このように、ユーザがナビゲーション装置８００を用いて、目的地点１５０２までのルート探索をおこなったときに、探索されたルート上またはその近傍に地点情報１０００によって特定される地点が位置している場合は、地図データ１５００上にアイコン１５０６を表示してユーザに報知することができる。
【０１７５】
また、詳細表示された地点情報１０００の内容をユーザが確認することによって、忘れていた、または、忘れかけていた地点情報１０００によって特定される地点の情報を思い出すことができる。さらに、ユーザが実際に操作入力をおこなったときの映像データ９０３を確認することによって、忘れていた、または、忘れかけていた地点情報１０００によって特定される地点の情報をより鮮明に思い出すことができる。
【０１７６】
また、ユーザが目的地点１５０２までのルート上またはその近傍に地点情報１０００によって特定される地点が位置していることを事前に知ることができる。このため、地点情報１０００を目的地点１５０２に到着するまでの間に立ち寄る、寄り道地点として参考にすることができ、寄り道計画を立てる場合などに役立てることができる。
【０１７７】
つづいて、特定地点と地点情報によって特定される地点との距離算出をおこなったときの算出結果が所定距離以下となった場合について説明する。たとえば、ユーザがナビゲーション装置８００を搭載した携帯型電話機を携帯して移動中に、現在地点と地点情報によって特定される地点との距離が所定距離以下となった場合、携帯型電話機本体を振動させることによって、ユーザに報知する。
【０１７８】
図１６は、電話機本体を振動させてユーザに報知するときの概要を示す説明図である。図１６に示すように、ユーザが携帯型電話機１６００を携帯して移動中に、現在地点と地点情報によって特定される地点との距離が所定距離以下、たとえば、５００ｍ以下となった場合、携帯型電話機１６００本体を振動させて、ユーザに報知する。
【０１７９】
ユーザが携帯型電話機１６００本体が振動していることに気がついた場合、ユーザは、携帯型電話機１６００のディスプレイ８１３に表示された内容を視認する。このとき、ディスプレイ８１３には、地点情報１０００が詳細表示されている。これにより、ユーザは、現在地点近傍に地点情報１０００によって特定されるラーメン店が位置していることを知ることができる。さらに、ユーザは、この詳細表示された地点情報１０００の内容を確認することによって、忘れていた、または、忘れかけていた地点情報１０００によって特定されるラーメン店の情報を思い出すことができる。
【０１８０】
また、詳細表示された地点情報１０００には、イメージアイコン１４０４がさらに表示されており、たとえば、ユーザが携帯型電話機１６００の操作ボタンを操作してイメージアイコン１４０４を選択することによって、映像データ９０３をディスプレイ８１３に表示させることができる。
【０１８１】
映像データ９０３は、ユーザがきかっけボタン９０２を押下したときに、映像表示装置７００のディスプレイ７１３に映像出力されていたものである（図９参照）。そして、ユーザは、この映像データ９０３の内容を確認することによって、忘れていた、または、忘れかけていた地点情報１０００によって特定されるラーメン店の情報をより鮮明に思い出すことができる。
【０１８２】
なお、ユーザがディスプレイ８１３に表示された地点情報１０００によって特定されるラーメン店まで行こうとした場合は、詳細表示された地点情報１０００の住所や電話番号を頼りに行くことができる。また、携帯型電話機１６００のディスプレイ８１３に地図データが表示可能であれば、ラーメン店の所在地点を地図データ上に表示してもよい。
【０１８３】
上述した実施例５によれば、ナビゲーション装置８００が実行中の処理に応じて、ユーザが意図することなく、自動的に地点情報１０００をユーザに報知することができる。さらに、ユーザは、報知された地点情報１０００の内容を確認することによって、忘れていた、または、忘れかけていた地点情報１０００によって特定される地点の情報を思い出すことができる。また、ユーザが実際に操作入力をおこなったときの映像データ９０３を確認することによって、忘れていた、または、忘れかけていた地点情報１０００によって特定される地点の情報をより鮮明に思い出すことができる。
【０１８４】
また、地点情報１０００に店舗や施設などの営業時間が付加されている場合は、この営業時間を加味して、ユーザに報知するようにしてもよい。これにより、たとえば、ラーメン店の情報が報知されたときに、実際にユーザがそのラーメン店に行ったにもかかわらず、営業時間外であったため、結局、食べたいと思っていたラーメンを食べることができないなどの問題を解消することができ、より有効に地点情報１０００を活用することができる。
【実施例６】
【０１８５】
以下に、上述した実施の形態にかかる映像処理装置２００および地点情報検索装置４００の実施例６について説明する。この実施例６は、上述した映像処理装置２００を、自宅のテレビなどの据え置き型の映像表示装置７００に、地点情報検索装置４００を、インターネットなどの通信ネットワークを通じて、情報の送受信をおこなう検索サーバ１７００に適用した例である。
【０１８６】
この実施例６にかかる検索サーバ１７００は、映像表示装置７００から送信された地点情報を記録し、検索サーバ１７００にアクセス可能な通信端末からの検索要求に応じた地点情報を、記録した地点情報の中から検索する。なお、映像表示装置７００のハードウェア構成（図７参照）は、上述した実施例１と同様であるため、その説明を省略する。
【０１８７】
（検索サーバのハードウェア構成）
まず、この発明の実施例６にかかる検索サーバ１７００のハードウェア構成について説明する。図１７は、この発明の実施例６にかかる検索サーバのハードウェア構成を示すブロック図である。図１７において、検索サーバ１７００は、ＣＰＵ１７０１と、ＲＯＭ１７０２と、ＲＡＭ１７０３と、磁気ディスクドライブ１７０４と、磁気ディスク１７０５と、光ディスクドライブ１７０６と、光ディスク１７０７と、通信Ｉ／Ｆ１７０８と、を備えている。また、各構成部１７０１〜１７０８は、バス１７０９によってそれぞれ接続されている。
【０１８８】
ＣＰＵ１７０１は、検索サーバ１７００全体の制御を司る。ＲＯＭ１７０２は、ブートプログラムや地点情報検索プログラムなどのプログラムを記録している。なお、地点情報検索プログラムについての詳細な説明は後述する。ＲＡＭ１７０３は、ＣＰＵ１７０１のワークエリアとして使用される。すなわち、ＣＰＵ１７０１は、ＲＡＭ１７０３をワークエリアとして使用しながら、ＲＯＭ１７０２に記録された各種プログラムを実行することによって、検索サーバ１７００全体の制御を司る。
【０１８９】
また、磁気ディスクドライブ１７０４は、ＣＰＵ１７０１の制御にしたがって磁気ディスク１７０５に対するデータのリード／ライトを制御する。磁気ディスク１７０５は、磁気ディスクドライブ１７０４の制御で書き込まれたデータを記録する。磁気ディスク１７０５としては、たとえば、ＨＤ（ハードディスク）を用いることができる。
【０１９０】
磁気ディスク１７０５には、上述した実施の形態において説明した地点情報が記録されている。ここで、地点情報とは、映像表示装置７００から転送された情報であり、デジタル放送波の映像データに付随した情報である。映像表示装置７００の映像出力中に、ユーザがリモコンなどを用いて操作入力をおこなったときの映像データに付随した地点情報である。また、ユーザが操作入力をおこなったときに映像出力中の映像データと、その映像データに付随した地点情報と、を関連づけて磁気ディスク１７０５に記録することができる。
【０１９１】
磁気ディスク１７０５には、地点情報を種々のカテゴリーごとにリスト化して編集可能な状態で記録されていてもよい。すなわち、同じ属性をあらわす地点情報を、同じカテゴリーにリスト化させて記録することができる。たとえば、飲食店に関する地点情報ごとにリスト化したり、遊園地に関する地点情報ごとにリスト化したりすることができる。
【０１９２】
また、光ディスクドライブ１７０６は、ＣＰＵ１７０１の制御にしたがって光ディスク１７０７に対するデータのリード／ライトを制御する。光ディスク１７０７は、光ディスクドライブ１７０６の制御にしたがってデータの読み出される着脱自在な記録媒体である。光ディスク１７０７は、書き込み可能な記録媒体を利用することもできる。また、この着脱可能な記録媒体として、光ディスク１７０７のほか、ＭＯ、メモリカードなどであってもよい。
【０１９３】
また、通信Ｉ／Ｆ１７０８は、無線、あるいは通信ケーブルを介してネットワークに接続され、このネットワークとＣＰＵ８０１とのインターフェースとして機能する。具体的には、たとえば、ネットワークに接続された映像表示装置７００、ナビゲーション装置８００およびナビゲーション装置８００と同様の機能を有した他のナビゲーション装置と、ＣＰＵ１７０１とのインターフェースとして機能する。ネットワークには、ＬＡＮ、ＷＡＮ、公衆回線網や携帯電話網などがある。
【０１９４】
なお、図４に示した地点情報検索装置４００の地点情報受信部４０１、記憶部４０２、検索要求受信部４０３、抽出部４０４、送信部４０５は、図１７に示した検索サーバ１７００のＲＯＭ１７０２、ＲＡＭ１７０３、磁気ディスク１７０５、光ディスク１７０７などに記録されたプログラムをＣＰＵ１７０１が実行し、検索サーバ１７００における各部を制御することによってその機能を実現する。
【０１９５】
ここで、ＲＯＭ１７０２に記録されている地点情報検索プログラムの具体的な処理内容について説明する。地点情報検索プログラムは、通信Ｉ／Ｆ１７０８を介して受信する検索サーバ１７００にアクセス可能な通信端末からの検索要求に応じた地点情報を検索する。検索サーバ１７００にアクセスする通信端末は、たとえばナビゲーション装置８００であったり、ナビゲーション装置８００と同様の機能を有した他のナビゲーション装置などである。
【０１９６】
具体的には、たとえば、ナビゲーション装置８００以外の他のナビゲーション装置を使用するユーザが、検索サーバ１７００にラーメン店に関する地点情報の検索要求を送信する。このとき、検索サーバ１７００の磁気ディスク１７０５には、ナビゲーション装置８００を使用するユーザが、映像表示装置７００を操作することによって取得した地点情報が記録されている。
【０１９７】
そして、検索サーバ１７００は、磁気ディスク１７０５に記録された地点情報の中から、ラーメン店に関する地点情報を検索する。磁気ディスク１７０５に記録された地点情報の中からラーメン店に関する地点情報を検索することができた場合は、検索した地点情報を通信Ｉ／Ｆ１７０８を介して、検索要求を送信してきた通信端末に送信する。
【０１９８】
また、通信端末から検索サーバ１７００にアクセスしたときに、検索サーバ１７００の磁気ディスク１７０５に記録されている地点情報を通信端末のディスプレイに表示させて、閲覧できるようにしてもよい。さらに、記録されている地点情報を任意に編集できるようにしてもよい。具体的には、たとえば、同じ属性をあらわす地点情報を、同じカテゴリーにリスト化させて分類して記録させたり、記録されている地点情報にさらに別の情報を書き込んだりすることができる。
【０１９９】
上述したように、実施例６によれば、検索サーバ１７００は、映像表示装置７００から送信された地点情報を記録することができる。そして、検索サーバ１７００にアクセス可能な通信端末を使用するユーザからの検索要求を受け付けることができ、この検索要求に応じた地点情報を、検索要求を送信してきたユーザが使用する通信端末に転送することができる。
【０２００】
また、検索サーバ１７００にアクセス可能な通信端末を使用するユーザは、映像表示装置７００において、操作入力をおこなったユーザとは異なる、他のユーザであってもよい。このため、検索サーバ１７００に記録されている地点情報を複数のユーザによって共有することができ、記録されている地点情報をより有効に利用することができる。
【０２０１】
なお、検索サーバ１７００から地点情報を受信した通信端末は、実施例１〜５で説明した処理と同様の処理をおこない、同様の効果を得る。
【０２０２】
以上説明したように、上述した実施例１〜６によれば、放送番組などの映像出力中の任意のタイミングで、ユーザが簡単な操作入力をおこなうことによって、操作入力をおこなったときに映像出力中の映像データに付随した地点情報を取得することができる。
【０２０３】
このため、たとえば、ユーザが放送番組を視聴中に、行ってみたい、食べてみたいなど興味を示した映像が流れた場合、番組を録画したり、番組の情報をメモに書き留めたりする面倒な作業をおこなうことなく、簡単な操作入力により、その映像内容によって特定される店舗やビルディングなどの地点情報を取得することができる。
【０２０４】
また、このときユーザがおこなう操作入力は、リモコンの操作ボタンを押下するなどの簡単な操作であるため、直感的、瞬間的におこなうことができ、興味を示した映像の情報を、漏らすことなく取得することができる。
【０２０５】
また、ユーザが放送番組を視聴中に取得した情報は、ユーザが意図することなく自動的に、ユーザが使用するナビゲーション装置や携帯型電話機などの通信端末に送信される。そして、送信された地点情報は、通信端末において、地図データ表示処理やルート探索処理などの所定の処理に利用することができる。さらに、通信端末の実行中の処理に地点情報が利用可能となった場合、表示画面上に地点情報を表示したり、地点情報に関するアナウンスを音声出力することによって、自動的にユーザにその地点情報を報知することができる。
【０２０６】
そして、ユーザは、報知された地点情報を確認することによって、たとえば、ユーザの現在地点近傍に、以前に興味を示した店舗やビルディングなどが位置していることを知ることができる。さらに、詳細表示された地点情報や、ユーザが操作入力をおこなったときの店舗やビルディングなどの映像を確認することによって、より鮮明に地点情報を取得したときの状況を思い出すことができる。
【０２０７】
また、このとき報知される地点情報は、以前に、ユーザが何らかの興味を示したことによって取得した情報であるため、ユーザに対して、情報内容に説得力がある。このため、実際に報知された店舗などに行ってみようという気持ちを喚起させる可能性が高く、ユーザにとって有効な情報であるといえる。さらに、取得した地点情報を参考にして寄り道をするなど、ユーザが立てる行き先計画にも有効に役立てることができる。
【０２０８】
このように、ユーザが放送番組などを視聴中に取得した地点情報は、ユーザが意図することなくユーザが使用する通信端末に送信され、維持することがでる。そして、ユーザが地点情報を必要とする状況に遭遇した場合に、その地点情報を自動的にユーザに報知されるため、取得した地点情報を有効かつ実用的に利用することができる。
【０２０９】
このため、ユーザは、忘れていた、または、忘れかけていた情報を、その情報を利用することができる状況に遭遇したときに、自動的に知ることができ、以前に興味を示したスポットに行く機会を逃すことがない。
【０２１０】
また、取得した地点情報を、インターネットなどの通信ネットワークを通じて、情報の送受信をおこなう検索サーバに格納することができる。さらに、格納された地点情報は、この検索サーバにアクセス可能な複数のユーザによって、自由に閲覧、編集可能とすることができる。このように、取得した地点情報を複数のユーザが共有することができ、地点情報をより有効に利用することができる。
【０２１１】
なお、店舗のホームページやＣＭなどの地点情報には、たとえば、商品３０％ＯＦＦクーポンなどを付加情報として含めることもできる。ユーザは、店舗に行ったときに、この付加情報を店員に見せることによって商品を３０％ＯＦＦで購入することができる。このように、地点情報に種々のサービス情報などを含めることによって、ユーザの購買意欲の向上を図ることができ、広告手段として地点情報を有効に利用することができる。
【０２１２】
なお、本実施の形態で説明した映像処理方法、地点情報報知方法および地点情報検索方法は、あらかじめ用意されたプログラムをパーソナルコンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【０２１３】
【図１】この発明の実施の形態にかかる地点情報報知システムのシステム構成を示す説明図である。
【図２】この発明の実施の形態にかかる映像処理装置の機能的構成を示すブロック図である。
【図３】この発明の実施の形態にかかる通信端末の機能的構成を示すブロック図である。
【図４】この発明の実施の形態にかかる地点情報検索装置の機能的構成を示すブロック図である。
【図５】この発明の実施の形態にかかる地点情報報知システムのシステム処理手順の一例を示すフローチャートである。
【図６】この発明の実施の形態にかかる地点情報報知システムのシステム処理手順の他の一例を示すフローチャートである。
【図７】この発明の実施例１にかかる映像表示装置のハードウェア構成を示すブロック図である。
【図８】この発明の実施例１にかかるナビゲーション装置のハードウェア構成を示すブロック図である。
【図９】映像表示装置のリモコンを用いて、ユーザが操作入力をおこなう一例を示す説明図である。
【図１０】地点情報の一例を示した説明図である。
【図１１】実施例２にかかるナビゲーション装置の地点情報報知処理手順を示すフローチャートである。
【図１２】実施例３にかかるナビゲーション装置の地点情報報知処理手順を示すフローチャートである。
【図１３】実施例４にかかるナビゲーション装置の地点情報報知手順を示すフローチャートである。
【図１４−１】地図データが表示されたディスプレイを示す説明図（その１）である。
【図１４−２】地図データが表示されたディスプレイを示す説明図（その２）である。
【図１４−３】地図データが表示されたディスプレイを示す説明図（その３）である。
【図１５】地図データ上に探索結果が表示されたディスプレイを示す説明図である。
【図１６】電話機本体を振動させてユーザに報知するときの概要を示す説明図である。
【図１７】この発明の実施例６にかかる検索サーバのハードウェア構成を示すブロック図である。
【符号の説明】
【０２１４】
１００  地点情報報知システム
２００  映像処理装置
２５０  ＤＢサーバ
３００  通信端末
３５０  通信端末
４００  地点情報検索装置
【国際調査報告】
2007099815.tif 000022
2007099815.tif 000023
2007099815.tif 000024
2007099815.tif 000025